(57)【要約】  本開示の実施形態は、参照信号（ＲＳ：Reference Signal）設定のための方法および装置に関する。例示的な実施形態では、ネットワークデバイスで実施される方法が提供される。この方法によれば、ＲＳ送信に使用される複数の参照信号（ＲＳ：Reference Signal）ポートは、異なるＲＳ設定パターン、異なるポート多重化タイプ、およびＲＳ送信に使用される異なるシンボル数の少なくとも１つに基づいて決定される。複数のＲＳポートのそれぞれは、それぞれのポートインデックスでインデックス付けされ、複数のＲＳポートの少なくとも２つは同じポートインデックスを共有する。複数のＲＳ設定は、少なくとも複数のＲＳポートに基づいて決定される。加えて、複数のＲＳ設定からの少なくとも１つのＲＳ設定が、ネットワークデバイスによってサービスされる端末デバイスに割り当てられる。少なくとも１つのＲＳ設定は、ＲＳ送信に使用される少なくとも１つのＲＳポートを示す。【選択図】図３
2020529169.tif 000002
【特許請求の範囲】
【請求項１】
ネットワークデバイスで実行される方法であって、
異なるＲＳ設定パターン、異なるポート多重化タイプ、およびＲＳ送信に使用される異なるシンボル数のうちの少なくとも１つに基づいて、ＲＳ送信に使用される複数の参照信号（ＲＳ：Reference Signal）ポートを決定することを備え、前記複数のＲＳポートのそれぞれは、それぞれのポートインデックスでインデックス付けされ、前記複数のＲＳポートのうちの少なくとも２つは同じポートインデックスを共有し、
少なくとも前記複数のＲＳポートに基づいて複数のＲＳ設定を決定することと、
前記ネットワークデバイスによってサービスされる端末デバイスの前記複数のＲＳ設定から少なくとも１つのＲＳ設定を割り当てることと、を備え、前記少なくとも１つのＲＳ設定は、ＲＳ送信に使用される少なくとも１つのＲＳポートを示す、
方法。
【請求項２】
前記複数のＲＳポートは、同じＲＳ設定パターンに関連付けられた第１のＲＳポートと第２のＲＳポートを含み、前記複数のＲＳポートを決定することは、
前記同じＲＳ設定パターンに基づいて、前記第１のＲＳポートと前記第２のＲＳポートを決定することを備え、前記第１のＲＳポートは、ＲＳ送信に使用されるシンボルの第１の数に関連付けられ、前記第２のＲＳポートは、ＲＳ送信に使用されるシンボルの第２の数に関連付けられ、第１のＲＳポートと第２のＲＳポートは、同じポートインデックスを共有する、
請求項１に記載の方法。
【請求項３】
前記第１のＲＳポートは、第１のポート多重化タイプを示す第１の情報に関連付けられ、
前記第２のＲＳポートは、第２のポート多重化タイプを示す第２の情報に関連付けられ、
前記第１の情報は、少なくとも部分的に前記第２の情報と同じである、
請求項２に記載の方法。
【請求項４】
前記第１の情報と前記第２の情報のそれぞれは、
周波数領域におけるリソース割り当てを示すそれぞれの値と、それぞれの直交カバリングコード（ＯＣＣ：Orthogonal Covering Code）と、それぞれの巡回シフト（ＣＳ：Cycle Shift）値と、それぞれのコームオフセット値と、のうち少なくとも１つを含む、
請求項３に記載の方法。
【請求項５】
前記複数のＲＳポートは、ＣＳ値に関連付けられた第３のＲＳポートを含み、
前記複数のＲＳ設定を決定することは、
少なくとも前記ＣＳ値に基づいて、前記第３のＲＳポートで送信されるＲＳシーケンスを決定することと、
前記第３のＲＳポートと前記ＲＳシーケンスに基づいて、前記複数のＲＳ設定のうちの少なくとも１つを決定することと、
を備える、
請求項４に記載の方法。
【請求項６】
前記複数のＲＳ設定を決定することは、
前記複数のＲＳポートを複数のセットに分割することを備え、前記複数のセットのそれぞれは、ＲＳ送信に関連する少なくとも１つの想定に関連付けられ、
前記複数のセットに基づいて前記複数のＲＳ設定を決定することを備える、
請求項１に記載の方法。
【請求項７】
前記少なくとも１つの想定は、マルチユーザスケジューリングに関する情報と、シングルユーザスケジューリングに関する情報と、ＲＳ送信に関連する電力オフセットと、ＲＳ送信レイヤに関する情報と、疑似コロケーション（Quasi-Co-Location）に関する情報と、異なるＲＳタイプ間の関係と、のうちの少なくとも１つに向けられる、
請求項６に記載の方法。
【請求項８】
前記少なくとも１つのＲＳ設定を割り当てることは、
前記複数のＲＳ設定から、前記端末デバイスのための前記少なくとも１つのＲＳ設定を選択することを備え、前記少なくとも１つのＲＳ設定は、前記複数のセットから少なくとも１つのＲＳポートのセットを示し、
前記端末デバイスに前記少なくとも１つのＲＳ設定を示すことを備える、
請求項６に記載の方法。
【請求項９】
前記少なくとも１つのＲＳポートのセットは、ＲＳ設定パターンに関連付けられ、
前記少なくとも１つのＲＳ設定を示すことは、
前記ＲＳ設定パターンに関する第３の情報を、上位レイヤシグナリングを介して前記端末デバイスに送信することと、
前記少なくとも１つのＲＳポートのセットに関する第４の情報を、上位レイヤシグナリングおよび／または動的シグナリングを介して前記端末デバイスに送信することと、
を備える、
請求項８記載の方法。
【請求項１０】
前記ＲＳは、復調参照信号（ＤＭＲＳ：Demodulation Reference Signal）である、
請求項９に記載の方法。
【請求項１１】
プロセッサと、
前記プロセッサに結合され、その上に命令を格納するメモリと、を備え、前記命令は、前記プロセッサによって実行されると、ネットワークデバイスに動作を実行させ、前記動作は、
異なるＲＳ設定パターン、異なるポート多重化タイプ、およびＲＳ送信に使用される異なるシンボル数のうちの少なくとも１つに基づいて、ＲＳ送信に使用される複数の参照信号（ＲＳ：Reference Signal）ポートを決定することを備え、前記複数のＲＳポートのそれぞれは、それぞれのポートインデックスでインデックス付けされ、前記複数のＲＳポートのうちの少なくとも２つは同じポートインデックスを共有し、
少なくとも前記複数のＲＳポートに基づいて複数のＲＳ設定を決定することと、
前記ネットワークデバイスによってサービスされる端末デバイスの前記複数のＲＳ設定から少なくとも１つのＲＳ設定を割り当てることと、を備え、前記少なくとも１つのＲＳ設定は、ＲＳ送信に使用される少なくとも１つのＲＳポートを示す、
ネットワークデバイス。
【請求項１２】
前記複数のＲＳポートは、同じＲＳ設定パターンに関連付けられた第１のＲＳポートと第２のＲＳポートを含み、前記複数のＲＳポートを決定することは、
前記同じＲＳ設定パターンに基づいて、前記第１のＲＳポートと前記第２のＲＳポートを決定することを備え、前記第１のＲＳポートは、ＲＳ送信に使用されるシンボルの第１の数に関連付けられ、前記第２のＲＳポートは、ＲＳ送信に使用されるシンボルの第２の数に関連付けられ、第１のＲＳポートと第２のＲＳポートは、同じポートインデックスを共有する、
請求項１１に記載のネットワークデバイス。
【請求項１３】
前記第１のＲＳポートは、第１のポート多重化タイプを示す第１の情報に関連付けられ、
前記第２のＲＳポートは、第２のポート多重化タイプを示す第２の情報に関連付けられ、
前記第１の情報は、少なくとも部分的に前記第２の情報と同じである、
請求項１２に記載のネットワークデバイス。
【請求項１４】
前記第１の情報と前記第２の情報のそれぞれは、
周波数領域におけるリソース割り当てを示すそれぞれの値と、それぞれの直交カバリングコード（ＯＣＣ：Orthogonal Covering Code）と、それぞれの巡回シフト（ＣＳ：Cycle Shift）値と、それぞれのコームオフセット値と、のうち少なくとも１つを含む、
請求項１３に記載のネットワークデバイス。
【請求項１５】
前記複数のＲＳポートは、ＣＳ値に関連付けられた第３のＲＳポートを含み、
前記複数のＲＳ設定を決定することは、
少なくとも前記ＣＳ値に基づいて、前記第３のＲＳポートで送信されるＲＳシーケンスを決定することと、
前記第３のＲＳポートと前記ＲＳシーケンスに基づいて、前記複数のＲＳ設定のうちの少なくとも１つを決定することと、
を備える、
請求項１４に記載のネットワークデバイス。
【請求項１６】
前記複数のＲＳ設定を決定することは、
前記複数のＲＳポートを複数のセットに分割することを備え、前記複数のセットのそれぞれは、ＲＳ送信に関連する少なくとも１つの想定に関連付けられ、
前記複数のセットに基づいて前記複数のＲＳ設定を決定することを備える、
請求項１１に記載のネットワークデバイス。
【請求項１７】
前記少なくとも１つの想定は、マルチユーザスケジューリングに関する情報と、シングルユーザスケジューリングに関する情報と、ＲＳ送信に関連する電力オフセットと、ＲＳ送信レイヤに関する情報と、疑似コロケーション（Quasi-Co-Location）に関する情報と、異なるＲＳタイプ間の関係と、のうちの少なくとも１つに向けられる、
請求項１６に記載のネットワークデバイス。
【請求項１８】
前記少なくとも１つのＲＳ設定を割り当てることは、
前記複数のＲＳ設定から、前記端末デバイスのための前記少なくとも１つのＲＳ設定を選択することを備え、前記少なくとも１つのＲＳ設定は、前記複数のセットから少なくとも１つのＲＳポートのセットを示し、
前記端末デバイスに前記少なくとも１つのＲＳ設定を示すことを備える、
請求項１６に記載のネットワークデバイス。
【請求項１９】
前記少なくとも１つのＲＳポートのセットは、ＲＳ設定パターンに関連付けられ、
前記少なくとも１つのＲＳ設定を示すことは、
前記ＲＳ設定パターンに関する第３の情報を、上位レイヤシグナリングを介して前記端末デバイスに送信することと、
前記少なくとも１つのＲＳポートのセットに関する第４の情報を、上位レイヤシグナリングおよび／または動的シグナリングを介して前記端末デバイスに送信することと、
を備える、
請求項１８記載のネットワークデバイス。
【請求項２０】
前記ＲＳは、復調参照信号（ＤＭＲＳ：Demodulation Reference Signal）である、
請求項１９に記載のネットワークデバイス。
【発明の詳細な説明】
【技術分野】
【０００１】
本開示の実施形態は、一般に、電気通信の分野に関し、特に、参照信号（ＲＳ：Reference Signal）設定のための方法および装置に関する。
【背景技術】
【０００２】
通信技術の発展に伴い、複数のタイプのサービスまたはトラフィックが提案されており、たとえば、一般に高いデータレートを必要とする拡張モバイルブロードバンド（ｅＭＢＢ：enhanced Mobile BroadBand）、通常は長いバッテリー寿命を必要とする大容量マシン型通信（ｍＭＴＣ：massive Machine Type Communication）、および超高信頼性と低遅延通信（ＵＲＬＬＣ：Ultra-Reliable and Low Latency Communication）がある。一方、ビーム管理、参照信号送信などのマルチアンテナ方式は、新無線アクセスのために研究されている。
【０００３】
従来、ネットワークデバイス（例えば、ｅＮＢまたはｇＮＢ）は、復調参照信号（ＤＭＲＳ：Demodulation Reference Signal）、チャネル状態情報参照信号（ＣＳＩ−ＲＳ：Channel State Information-Reference Signal）、サウンディング参照信号（ＳＲＳ：Sounding Reference Signal）、位相追跡参照信号（ＰＴＲＳ：Phase Tracking Reference Signal）、精密時間および周波数追跡参照信号（ＴＲＳ：Tracking Reference Signal）などのダウンリンク参照信号（ＲＳ：Reference Signal）を送信し得る。システム内の端末デバイス（たとえば、ユーザ機器）は、割り当てられたリソースでダウンリンクＲＳを受信できる。端末デバイスは、対応する割り当てられたリソースでネットワークデバイスにアップリンクＲＳを送信することもできる。割り当てられたリソース、および／または、ＲＳのための他の必要な情報を示すために、ネットワークデバイスは、ＲＳの送信の前にＲＳ設定を端末デバイスに送信する。
【０００４】
たとえば、３ＧＰＰ仕様でＤＭＲＳの２つの設定パターンが設計および合意されており、それぞれが最大８または１２個の直交ＤＭＲＳポートをサポートする。周波数領域では符号分割多重（ＣＤＭ：Code Division Multiplexing）技術に基づいて、または、時間領域では周波数分割多重（ＦＤＭ：Frequency Division Multiplexing）技術および／またはＣＤＭ技術に基づいて、異なるＤＭＲＳポートが多重化される。ＤＭＲＳポートはグループに分割される。１つの物理ダウンリンク共有チャネル（ＰＤＳＣＨ：Physical Downlink Shared Channel）に属するＤＭＲＳポートグループは、異なる疑似コロケーション（ＱＣＬ：Quasi-Co-Location）の想定（assumption）があってもよい。上記のすべては、ネットワークデバイスが端末デバイスにＤＭＲＳ設定を示すために複雑になってもよい。この場合、シグナリングオーバーヘッドの少ない動的ＤＭＲＳ設定の方式を検討する必要がある。
【発明の概要】
【発明が解決しようとする課題】
【０００５】
一般に、本開示の例示的な実施形態は、ＲＳ設定のための方法および装置を提供する。
【課題を解決するための手段】
【０００６】
第１の態様では、ネットワークデバイスで実施される方法が提供される。この方法によれば、ＲＳ送信に使用される複数の参照信号（ＲＳ：Reference Signal）ポートは、異なるＲＳ設定パターンと、異なるポート多重化タイプと、ＲＳ送信に使用される異なるシンボル数と、のうちの少なくとも１つに基づいて決定される。複数のＲＳポートのそれぞれは、それぞれのポートインデックスでインデックス付けされ、複数のＲＳポートの少なくとも２つは、同じポートインデックスを共有する。複数のＲＳ設定は、少なくとも複数のＲＳポートに基づいて決定される。加えて、複数のＲＳ設定からの少なくとも１つのＲＳ設定は、ネットワークデバイスによってサービスされる端末デバイスに割り当てられる。少なくとも１つのＲＳ設定は、ＲＳ送信に使用される少なくとも１つのＲＳポートを示す。
【０００７】
第２の態様では、ネットワークデバイスが提供される。ネットワークデバイスは、プロセッサと、プロセッサに結合されたメモリを備える。メモリは、プロセッサによって実行されると、ネットワークデバイスに動作を実行させる命令を保存する。動作は、異なるＲＳ設定パターン、異なるポート多重化タイプ、およびＲＳ送信に使用される異なるシンボル数のうちの少なくとも１つに基づいて、ＲＳ送信に使用される複数の参照信号（ＲＳ：Reference Signal）ポートを決定することを備える。複数のＲＳポートがそれぞれは、それぞれのポートインデックスでインデックス付けされ、複数のＲＳポートのうちの少なくとも２つは同じポートインデックスを共有する。少なくとも複数のＲＳポートに基づいて複数のＲＳ設定を決定する。ネットワークデバイスによってサービスされる端末デバイスのために、複数のＲＳ設定から少なくとも１つのＲＳ設定を割り当てる。少なくとも１つのＲＳ設定は、ＲＳ送信に使用される少なくとも１つのＲＳポートを示す。
【０００８】
本開示の他の特徴は、以下の説明を通して容易に理解可能になる。
【図面の簡単な説明】
【０００９】
添付図面における本開示のいくつかの実施形態のより詳細な説明を通じて、本開示の上記および他の目的、特徴、および利点がより明らかになる。
【００１０】
【図１】図１は、本開示の実施形態を実現することができる通信環境のブロック図である。
【００１１】
【図２】図２は、本開示のいくつかの実施形態によるＲＳ送信のためのプロセスを示す。
【００１２】
【図３】図３は、本開示のいくつかの実施形態による例示的な方法のフローチャートを示す。
【００１３】
【図４Ａ】図４Ａは、本開示のいくつかの実施形態による可能なＤＭＲＳ設定の例を示す。
【図４Ｂ】図４Ｂは、本開示のいくつかの実施形態による可能なＤＭＲＳ設定の例を示す。
【００１４】
【図５Ａ】図５Ａは、本開示のいくつかの実施形態による可能なＤＭＲＳ設定の例を示す。
【図５Ｂ】図５Ｂは、本開示のいくつかの実施形態による可能なＤＭＲＳ設定の例を示す。
【図５Ｃ】図５Ｃは、本開示のいくつかの実施形態による可能なＤＭＲＳ設定の例を示す。
【００１５】
【図６Ａ】図６Ａは、本開示のいくつかの実施形態による可能なＤＭＲＳ設定の例を示す。
【図６Ｂ】図６Ｂは、本開示のいくつかの実施形態による可能なＤＭＲＳ設定の例を示す。
【００１６】
【図７Ａ】図７Ａは、本開示のいくつかの実施形態による可能なＤＭＲＳ設定の例を示す。
【図７Ｂ】図７Ｂは、本開示のいくつかの実施形態による可能なＤＭＲＳ設定の例を示す。
【００１７】
【図８】図８は、本開示のいくつかの実施形態によるネットワークデバイスのブロック図である。
【００１８】
【図９】図９は、本開示の実施形態を実施するのに適したデバイスの簡易ブロック図である。
【００１９】
図面全体を通して、同じまたは類似の参照番号は、同じまたは類似の要素を表す。
【発明を実施するための形態】
【００２０】
本開示の原理は、いくつかの例示的な実施形態を参照して説明される。これらの実施形態は、例示のみを目的として記載されており、本開示の範囲に関する制限を示唆することなく、当業者が本開示を理解および実施するのを助けることを理解されたい。本明細書で説明される開示は、以下で説明されるもの以外の様々な方法で実装される。
【００２１】
以下の説明および特許請求の範囲において、他に定義されない限り、本明細書で使用されるすべての技術用語および科学用語は、本開示が属する技術分野の当業者によって一般に理解されるのと同じ意味を有する。
【００２２】
本明細書で使用される場合、「ネットワークデバイス」または「基地局」（ＢＳ：Base Station）という用語は、端末デバイスが通信できるセルまたはカバレッジを提供またはホストできるデバイスを指す。ネットワークデバイスの例には、ノードＢ（ＮｏｄｅＢまたはＮＢ）、ＥｖｏｌｖｅｄノードＢ（ｅＮｏｄｅＢまたはｅＮＢ）、次世代ノードＢ（ｇＮＢ）、リモート無線ユニット（ＲＲＵ：Remote Radio Unit）、無線ヘッド（ＲＨ：Radio Head）、リモート無線ヘッド（ＲＲＨ：Remote Radio Head）、フェムトノードやピコノードなどの低電力ノード、を含むが、それには限定されない。議論の目的のために、以下では、ネットワークデバイスの例としてｇＮＢを参照していくつかの実施形態を説明する。
【００２３】
本明細書で使用される「端末デバイス」という用語は、無線または有線の通信機能を有する任意のデバイスを指す。端末デバイスの例には、ユーザ機器（ＵＥ：User Equipment）、パーソナルコンピュータ、デスクトップ、移動電話、セルラー電話、スマートフォン、携帯情報端末（ＰＤＡ：Personal Digital Assistant）、ポータブルコンピュータ、デジタルカメラなどの画像キャプチャデバイス、ゲームデバイス、音楽ストレージおよび再生機器、または無線または有線インターネットアクセスおよびブラウジングなどを可能にするインターネット機器、が含まれますが、これらに限定されない。議論の目的のために、以下では、端末デバイスの例としてＵＥを参照していくつかの実施形態を説明する。
【００２４】
本明細書で使用される単数形「１つ（ａ）」、「１つ（ａｎ）」、および「この（ｔｈｅ）」は、文脈からそうでないことが明確に示されていない限り、複数形も含むことを意図している。「含む」という用語とその変形は、「含むが、これに限定されない」ことを意味するオープンな用語として読まれる。「に基づいて」という用語は、「少なくとも部分的に基づいて」と読まれる。「一実施形態」および「実施形態」という用語は、「少なくとも一実施形態」と読まれる。「別の実施形態」という用語は、「少なくとも１つの他の実施形態」と読まれる。「第１」、「第２」などの用語は、異なるオブジェクトまたは同じオブジェクトを指す。明示的および暗黙的なその他の定義を以下に含める。
【００２５】
いくつかの例では、値、手順、または装置は、「最良」、「最低」、「最高」、「最小」、「最大」などとして参照される。そのような説明は、多くの使用される機能的選択肢の中から選択できることを示すことを意図しており、そのような選択は他の選択よりも良い、小さい、高い、またはそうでなければ好ましい必要はないことが理解される。
【００２６】
本開示で説明する通信は、新無線（ＮＲ：New Radio）アクセス、ロングタームエボリューション（ＬＴＥ：Long Term Evolution）、ＬＴＥエボリューション、ＬＴＥアドバンスト（ＬＴＥ−Ａ：LTE-Advanced）、広帯域符号分割多重アクセス（ＷＣＤＭＡ：Wideband Code Division Multiple Access）、符号分割多重アクセス（ＣＤＭＡ：Code Division Multiple Access）、および移動体通信用グローバルシステム（ＧＳＭ：Global System for Mobile）など、を含むがこれらに限定されない任意の適切な規格に準拠してもよい。さらに、通信は、現在知られているか、将来開発されるいずれかの世代の通信プロトコルに従って実行されてもよい。通信プロトコルの例には、第１世代（１Ｇ）、第２世代（２Ｇ）、２．５Ｇ、２．７５Ｇ、第３世代（３Ｇ）、第４世代（４Ｇ）、４．５Ｇ、第５世代（５Ｇ）の通信プロトコルが含まれる。
【００２７】
図１は、本開示の実施形態が実装され得る例示的な通信ネットワーク１００を示す。ネットワーク１００は、ネットワークデバイス１１０と、ネットワークデバイス１１０によってサービス提供される３つの端末デバイス１２０−１および１２０−３（まとめて端末デバイス１２０と呼ばれるか、または個別に端末デバイス１２０と呼ばれる）とを含む。ネットワークデバイス１１０のカバレッジは、セル１０２とも呼ばれる。基地局および端末デバイスの数は、制限を示唆することなく、例示のみを目的とすることを理解されたい。ネットワーク１００は、本開示の実施形態を実施するように適合された任意の適切な数の基地局および端末デバイスを含むことができる。図示されていないが、セル１０２に隣接する１つ以上の隣接するセルが存在し、そこでは、１つ以上の対応するネットワークデバイスが、そこに位置する多数の端末デバイスにサービスを提供する。
【００２８】
ネットワークデバイス１１０は、端末デバイス１２０と通信することができる。ネットワーク１００における通信は、ロングタームエボリューション（ＬＴＥ：Long Term Evolution）、ＬＴＥエボリューション、ＬＴＥアドバンスト（ＬＴＥ−Ａ：LTE-Advanced）、広帯域符号分割多重アクセス（ＷＣＤＭＡ：Wideband Code Division Multiple Access）、符号分割多重アクセス（ＣＤＭＡ：Code Division Multiple Access）、および移動体通信用グローバルシステム（ＧＳＭ：Global System for Mobile）などを含むが、これらに限定されない任意の適切な規格に準拠してもよい。さらに、通信は、現在知られているか、または将来開発されるいずれかの世代の通信プロトコルに従って実行されてもよい。通信プロトコルの例には、第１世代（１Ｇ）、第２世代（２Ｇ）、２．５Ｇ、２．７５Ｇ、第３世代（３Ｇ）、第４世代（４Ｇ）、４．５Ｇ、第５世代（５Ｇ）通信プロトコルを含むが、これらには限定されない。
【００２９】
通常のデータ通信に加えて、ネットワークデバイス１１０は、ダウンリンクで１つまたは複数の端末デバイス１２０にブロードキャスト、マルチキャスト、および／またはユニキャスト方式でＲＳを送信することができる。同様に、１つ以上の端末デバイス１２０は、アップリンクでＲＳをネットワークデバイス１１０に送信してもよい。本明細書で使用する「ダウンリンク」は、ネットワークデバイスから端末デバイスへのリンクを指し、「アップリンク」は、端末デバイスからネットワークデバイスへのリンクを指す。制限を示唆することなく議論するために、以下の説明では、ダウンリンクＲＳ送信に関していくつかの実施形態を説明する。
【００３０】
例えば、ダウンリンクＲＳ送信の場合、ＲＳは、ビーム掃引、チャネル推定、復調、および通信のための他の動作のために端末デバイス１２０によって使用される。一般的に、ＲＳは、ネットワークデバイス１１０と端末デバイス１２０の両方によって知られている信号シーケンス（「ＲＳシーケンス」とも呼ばれる）である。例えば、ネットワークデバイス１１０によって、ある規則に基づいてＲＳシーケンスが生成および送信され、端末デバイス１２０が同じ規則に基づいてＲＳシーケンスを推定する。ＲＳの例には、ダウンリンクまたはアップリンクの復調参照信号（ＤＭＲＳ：Demodulation Reference Signal）、チャネル状態情報参照信号（ＣＳＩ−ＲＳ：Channel State Information-Reference Signal）、サウンディング参照信号（ＳＲＳ：Sounding Reference Signal）、位相追跡参照信号（ＰＴＲＳ：Phase Tracking Reference Signal）、ファイン時間（fine time）および周波数追跡参照信号（ＴＲＳ：Tracking Reference Signal）などを含むが、これらには限定されない。制限を示唆することなく議論するために、以下の説明では、ＲＳの例としてＤＭＲＳを参照していくつかの実施形態を説明する。
【００３１】
ダウンリンクおよびアップリンクＲＳの送信において、ネットワークデバイス１１０は、送信のために対応するリソース（「ＲＳリソース」とも呼ばれる）を割り当て、および／またはどのＲＳシーケンスが送信されるべきかを指定する。いくつかのシナリオでは、ネットワークデバイス１１０と端末デバイス１２０の両方に複数のアンテナポート（またはアンテナ要素）が装備され、アンテナポート（アンテナ要素）で指定されたＲＳシーケンスを送信できる。多数のＲＳポートに関連付けられたＲＳリソースのセットも指定される。ＲＳポートは、時間、周波数、および／またはコード領域でのＲＳ送信のために割り当てられたリソース領域の１つ以上のリソース要素（ＲＥ：Resource Element）へのＲＳシーケンスの一部またはすべての特定のマッピングと呼ばれ得る。そのようなリソース割り当て情報は、ＲＳの送信の前に端末デバイス１２０に示されてもよい。
【００３２】
上記のように、ＤＭＲＳの２つの設定パターンが３ＧＰＰ仕様で設計および合意されており、それぞれが最大８または１２の直交ＤＭＲＳポートをサポートできる。ただし、ＬＴＥのＤＭＲＳ設定の現在のソリューションでは、ＤＭＲＳ設定（ＲＳ送信のために使用されるアンテナポート、スクランブリング識別、ＲＳ送信レイヤの数、およびＲＳ設定パターン）を示すためにＤＣＩの固定ビット数のみがサポートされており、異なる条件は考慮されていない。
【００３３】
周波数領域の符号分割多重化（ＣＤＭ：Code Division Multiplexing）技術に基づいて、および／または、時間領域の周波数分割多重化（ＦＤＭ：Frequency Division Multiplexing）技術および／またはＣＤＭ技術に基づいて、異なるＤＭＲＳポートが多重化されてもよい。ただし、ＤＭＲＳ設定の現在のソリューションでは、ＤＭＲＳポートを設定する方法と、特定のシナリオで選択する領域（domain）が明確ではない。さらに、ＤＭＲＳ設定の現在のソリューションでは、電力オフセットの問題や巡回シフト設計などの他のいくつかの要因は考慮されていない。
【００３４】
上記の問題および他の潜在的な問題の１つまたは複数を解決するために、ＤＭＲＳ設定の解決策が本開示の例示的な実施形態に従って提供される。このソリューションを使用すると、ＤＭＲＳ設定を示すためのシグナリングオーバーヘッドを削減できる。
【００３５】
本開示の原理および実装形態は、図２から図９を参照して以下で詳細に説明され、図２は、本開示のいくつかの実施形態によるＲＳ送信のための２つのプロセス２１０および２２０を示す。説明のために、プロセス２１０および２２０について図１を参照して説明する。プロセス２１０および２２０は、ネットワークデバイス１１０と、ネットワークデバイス１１０によってサービスされる１つまたは複数の端末デバイス１２０とを含んでもよい。
【００３６】
図２に示されるように、プロセス２１０は、ダウンリンクＲＳ送信の場合に向けられる。一実施形態では、ネットワークデバイス１１０は、ＲＳ設定を端末デバイス１２０に示す（２１１）。ネットワークデバイス１２０は、ＲＳ設定に基づいてＲＳを送信する（２１２）。端末デバイス１２０は、ネットワークデバイス１１０からＲＳ設定を受信し、受信したＲＳ設定に基づいてＲＳを検出する。プロセス２２０は、アップリンクＲＳ送信の場合に向けられる。別の実施形態では、ネットワークデバイス１１０は、ＲＳ設定を端末デバイス１２０に示す（２２１）。端末デバイス１２０は、ネットワークデバイス１１０からＲＳ設定を受信し、受信したＲＳ設定に基づいてＲＳを送信する（２２２）。ネットワークデバイス１１０は、ＲＳ設定に基づいてＲＳを検出する。
【００３７】
図３は、本開示のいくつかの実施形態によるＲＳ設定のための例示的な方法３００のフローチャートを示す。方法３００は、図１に示されるように、ネットワークデバイス１１０で実施することができる。説明のために、方法３００は、図１を参照してネットワークデバイス１１０の観点から説明される。
【００３８】
動作３１０において、ネットワークデバイス１１０は、ＲＳ送信に使用される複数のＲＳポートを決定し、各ＲＳポートは、それぞれのポートインデックスでインデックス付けされる。いくつかの実施形態では、複数のＲＳポートは、ＲＳ送信に使用される異なるＲＳ設定パターン、異なるポート多重化タイプ、およびシンボルの異なる数のうちの少なくとも１つに基づいて決定される。
【００３９】
上記のように、ＤＭＲＳの２つの設定パターンが３ＧＰＰ仕様書（ＲＡＮ１＃８９）で設計および合意されており、それぞれ８または１２個の直交ＤＭＲＳポートをサポートできる。ＤＭＲＳの２つの設定パターンの１つは、インターリーブ周波数分割多重化（ＩＦＤＭ：Interleaved Frequency Division Multiplexing）ベースの設定パターン（つまり、ＲＡＮ１＃８９で合意されたフロントロードＤＭＲＳ設定１）と呼ばれ、ＤＭＲＳポートは、ＦＤＭ（異なるコーム（Comb）オフセット値など）、周波数領域のＣＤＭ（異なる巡回シフト（ＣＳ：Cyclic Shift）値など）、および／または、時間領域のＣＤＭ（異なるＴＤ−ＯＣＣなど）に基づいて多重化できる。このパターンは、以下の説明では「ＤＭＲＳ設定１」とも呼ばれる。
【００４０】
いくつかの実施形態では、ＤＭＲＳ設定１の場合、１つまたは２つのシンボルがＤＭＲＳ送信のためにサポートされてもよい。一実施形態では、１つのシンボルに関連付けられたＤＭＲＳ設定１について、ＤＭＲＳポートは、異なるコームオフセット値および異なるＣＳ値に基づいて多重化され、したがって最大４つのＤＭＲＳポートがサポートされ得る。別の実施形態では、２つのシンボルに関連付けられたＤＭＲＳ設定１について、ＤＭＲＳポートは、異なるコームオフセット値、異なるＣＳ値および異なるＴＤ−ＯＣＣに基づいて多重化され、したがって、最大８つのＤＭＲＳポートがサポートされる。図４Ａおよび４Ｂは、本開示のいくつかの実施形態によるＤＭＲＳ設定１の例を示す。図４Ａおよび図４Ｂ、ならびに以下の図５Ａから７Ｂでは、各要素は周波数領域のＲＥを表し、要素の各列はシンボルを表す。図４Ａは、１つのシンボルに関連付けられたＤＭＲＳ設定１の例を示す。図４Ａに示されるように、いくつかの実施形態では、いくつかのＲＳポートは、異なるＣＳ値などのＣＤＭに基づいて多重化されてもよい。さらに、いくつかのＲＳポートは、異なるコームオフセット値など、ＦＤＭに基づいて多重化されてもよい。図４Ｂは、２つのシンボルに関連付けられたＤＭＲＳ設定１の例を示す。図４Ｂに示されるように、いくつかの実施形態では、いくつかのＲＳポートは、異なるＣＳ値など、周波数領域のＣＤＭに基づいて多重化されてもよい。いくつかのＲＳポートは、異なるコームオフセット値など、ＦＤＭに基づいて多重化されてもよい。さらに、いくつかのＲＳポートは、異なるＴＤ−ＯＣＣなど、時間領域のＣＤＭに基づいて多重化されてもよい。
【００４１】
いくつかの実施形態では、１つのシンボルに関連付けられたＤＭＲＳ設定１について、最大４つのＲＳポートが、２つのコームオフセット値および２つのＣＳ値に基づいて決定されてもよい。すなわち、各ＲＳポートは、それぞれのコームオフセット値およびそれぞれのＣＳ値に関連付けられる。いくつかの他の実施形態では、２つのシンボルに関連付けられたＤＭＲＳ設定１について、最大８つのＲＳポートが、２つのコームオフセット値、２つのＣＳ値および２つのＴＤ−ＯＣＣに基づいて決定されてもよい。すなわち、各ＲＳポートは、それぞれのコームオフセット値、それぞれのＣＳ値、およびそれぞれのＴＤ−ＯＣＣに関連付けられてもよい。いくつかの実施形態では、１つのシンボルに関連付けられたＤＭＲＳ設定１のポートインデックスは、２つのシンボルに関連付けられたＤＭＲＳ設定１のポートインデックスのいくつかと重複してもよい。具体的には、一実施形態では、同じＣＳ値および同じコームオフセット値で設定された２つのＲＳポートが、同じポートインデックスを共有してもよい。このようにして、ＲＳポートのインデックスの数が削減されるため、ＲＳ設定を示すためのオーバーヘッドを削減できる。図５Ａおよび５Ｂは、そのような実施形態の例を示す。
【００４２】
図５Ａは、１つのシンボルに関連付けられたＤＭＲＳ設定１の例を示す。図５Ａは、ポートＡ、Ｂ、Ｃ、Ｄの４つのＲＳポートを示す。表１は、図５Ａに示すポートＡ、Ｂ、Ｃ、Ｄに関連する詳細情報を示す。一実施形態では、１つのシンボルに関連付けられたＤＭＲＳ設定１について、表１に示されるように、ポートＡ、Ｂ、Ｃ、およびＤに関連付けられたＴＤ−ＯＣＣは、利用できない場合がある。別の実施形態では、１つのシンボルに関連付けられたＤＭＲＳ設定１の場合、ポートＡ、Ｂ、Ｃ、およびＤのそれぞれに関連付けられたＴＤ−ＯＣＣは、｛＋１｝であり得る。つまり、ポートＡ、Ｂ、Ｃ、およびＤのＲＳシーケンスは、各リソース要素に｛＋１｝を適用することによって多重化される。さらに別の実施形態では、１つのシンボルに関連付けられたＤＭＲＳ設定１のためのＴＤ−ＯＣＣフィールドがなくてもよい。つまり、表１の４列目が存在しない場合がある。
【表１】
2020529169.tif 000003
【００４３】
図５Ａと表１に示すように、ポートＡとＣは同じＲＳリソースにマッピングされ、周波数領域のＣＤＭに基づいて多重化される。たとえば、ポートＡとＣは、異なるＣＳ値で設定され、ポートＡはＣＳ値ｃ０に関連付けられ、ポートＣはＣＳ値ｃ１に関連付けられる。ポートＢとＤは、同じＲＳリソースにマッピングされ、周波数領域のＣＤＭに基づいて多重化される。たとえば、ポートＢとＤは異なるＣＳ値で設定され、ポートＢはＣＳ値ｃ０に関連付けられ、ポートＤはＣＳ値ｃ１に関連付けられる。ポート（Ａ、Ｃ）および（Ｂ、Ｄ）は、異なるコームオフセット値など、ＦＤＭに基づいて多重化される。たとえば、図５Ａおよび表１に示すように、ポート（Ａ、Ｃ）はコームオフセット値ｂ０に関連付けられ、ポート（Ｂ、Ｄ）はコームオフセット値ｂ１に関連付けられる。
【００４４】
図５Ｂは、２つのシンボルに関連付けられたＤＭＲＳ設定１の例を示す。図５Ｂは、ポートＡ、Ｂ、Ｃ、Ｄ、Ｅ、Ｆ、Ｇ、Ｈの８つのＲＳポートを示す。表２は、図５Ｂに示すポートＡ、Ｂ、Ｃ、Ｄ、Ｅ、Ｆ、Ｇ、Ｈに関連する詳細情報を示す。
【表２】
2020529169.tif 000004
【００４５】
図５Ｂおよび表２に示されるように、一実施形態では、ポートＡおよびＣは同じＲＳリソースにマッピングされ、周波数領域でＣＤＭに基づいて多重化される。たとえば、ポートＡとＣは異なるＣＳ値で設定され、ポートＡはＣＳ値ｃ０に関連付けられ、ポートＣはＣＳ値ｃ１に関連付けられる。一実施形態では、ポートＢおよびＤは、同じＲＳリソースにマッピングされ、周波数領域のＣＤＭに基づいて多重化される。たとえば、ポートＢとＤは異なるＣＳ値で設定され、ポートＢはＣＳ値ｃ０に関連付けられ、ポートＤはＣＳ値ｃ１に関連付けられる。一実施形態では、ポートＥおよびＧは同じＲＳリソースにマッピングされ、周波数領域のＣＤＭに基づいて多重化される。たとえば、ポートＥとＧは異なるＣＳ値で設定され、ポートＥはＣＳ値ｃ０に関連付けられ、ポートＧはＣＳ値ｃ１に関連付けられる。一実施形態では、ポートＦおよびＨは、同じＲＳリソースにマッピングされ、周波数領域のＣＤＭに基づいて多重化される。たとえば、ポートＦとＨは異なるＣＳ値で設定され、ポートＦはＣＳ値ｃ０に関連付けられ、ポートＨはＣＳ値ｃ１に関連付けられる。
【００４６】
一実施形態では、ポート（Ａ、Ｃ）および（Ｅ、Ｇ）は、異なるＴＤ−ＯＣＣなどの時間領域のＣＤＭに基づいて多重化されてもよい。たとえば、ポート（Ａ、Ｃ）および（Ｅ、Ｇ）は異なるＴＤ−ＯＣＣで設定され、ポート（Ａ、Ｃ）はＴＤ−ＯＣＣ  ｔ０に関連付けられ、ポート（Ｅ、Ｇ）はＴＤ−ＯＣＣ  ｔ１に関連付けられます。一実施形態では、ＴＤ−ＯＣＣ  ｔ０は、２つの隣接するＲＥに適用される｛１、１｝であってもよい。図５Ｂおよび表２に示すように、２つの隣接するＲＥは、周波数領域の同じ位置にあるが、２つの異なるシンボルにある。一実施形態では、ＴＤ−ＯＣＣ  ｔ１は、ｔ０の値とは異なる２つの隣接するＲＥに適用される｛１、−１｝であってもよい。一実施形態では、ポート（Ｂ、Ｄ）および（Ｆ、Ｈ）は、異なるＴＤ−ＯＣＣなどの時間領域のＣＤＭに基づいて多重化される。たとえば、ポート（Ｂ、Ｄ）および（Ｆ、Ｈ）は異なるＴＤ−ＯＣＣで設定され、ポート（Ｂ、Ｄ）はＴＤ−ＯＣＣ  ｔ０に関連付けられ、ポート（Ｆ、Ｈ）はＴＤ−ＯＣＣ  ｔ１に関連付けられる。一実施形態では、ＴＤ−ＯＣＣ  ｔ０は、２つの隣接するＲＥに適用される｛１、１｝であってもよい。図５Ｂに示すように、２つの隣接するＲＥは、周波数領域の同じ位置にあるが、２つの異なるシンボルにある。一実施形態では、ＴＤ−ＯＣＣ  ｔ１は、ｔ０の値とは異なる２つの隣接するＲＥに適用される｛１、−１｝であってもよい。
【００４７】
一実施形態では、ポート（Ａ、Ｃ、Ｅ、Ｇ）および（Ｂ、Ｄ、Ｆ、Ｈ）は、異なるコームオフセット値など、ＦＤＭに基づいて多重化されてもよい。たとえば、ポート（Ａ、Ｃ、Ｅ、Ｇ）および（Ｂ、Ｄ、Ｆ、Ｈ）は異なるコームオフセット値で設定され、ポート（Ａ、Ｃ、Ｅ、Ｇ）はコームオフセット値ｂ０に関連付けられ、ポート（Ｂ、Ｄ、Ｆ、Ｈ）はコームオフセット値ｂ１に関連付けられる。
【００４８】
表１および表２から、同じコームオフセット値と同じＣＳ値に関連付けられたＲＳポートが、同じポートインデックスを共有できることがわかる。そのため、ＲＳポートのインデックスの数を減らすことができるため、ＲＳ設定を示すためのオーバーヘッドが削減される。
【００４９】
ＤＭＲＳの２つの設定パターンのもう１つは、周波数領域で隣接するＲＥを使用した周波数分割直交カバリングコード（ＦＤ−ＯＣＣ：Frequency Division-Orthogonal Covering Code）ベースの設定パターン（つまり、ＲＡＮ１＃８９で合意されたフロントロードＤＭＲＳ設定２）と呼ばれ、ＤＭＲＳポートは、ＦＤＭ（異なるＲＥロケーションなど）、周波数領域のＣＤＭ（異なるＦＤ−ＯＣＣなど）および／または時間領域のＣＤＭ（異なるＴＤ−ＯＣＣなど）に基づいて多重化されてもよい。このパターンは、以下の説明では「ＤＭＲＳ設定２」とも呼ばれる。
【００５０】
いくつかの実施形態では、ＤＭＲＳ設定２の場合、１つまたは２つのシンボルがＤＭＲＳ送信のためにサポートされる。一実施形態では、１つのシンボルに関連付けられたＤＭＲＳ設定２の場合、ＤＭＲＳポートは、異なるＦＤ−ＯＣＣおよび異なるＲＥロケーション値（たとえば、周波数領域の異なるＲＥロケーションを示す）に基づいて多重化され、したがって、最大６つのＤＭＲＳポートがサポートされる。２つのシンボルに関連付けられたＤＭＲＳ設定２の場合、ＤＭＲＳポートは、異なるＦＤ−ＯＣＣ、異なるＲＥロケーション値、および異なるＴＤ−ＯＣＣに基づいて多重化されるため、最大１２のＤＭＲＳポートをサポートできる。図６Ａおよび６Ｂは、本開示のいくつかの実施形態によるＤＭＲＳ設定２の例を示す。図６Ａは、１つのシンボルに関連付けられたＤＭＲＳ設定２の例を示す。図６Ａに示されるように、いくつかの実施形態では、ＲＳポートのいくつかは、異なるＦＤ−ＯＣＣなどの周波数領域のＣＤＭに基づいて多重化されてもよい。さらに、ＲＳポートのいくつかは、異なるＲＥロケーション値など、ＦＤＭに基づいて多重化されてもよい。図６Ｂは、２つのシンボルに関連付けられたＤＭＲＳ設定２の例を示す。図６Ｂに示されるように、いくつかの実施形態では、ＲＳポートのいくつかは、異なるＦＤ−ＯＣＣなどの周波数領域のＣＤＭに基づいて多重化されてもよい。ＲＳポートのいくつかは、異なるＲＥロケーション値など、ＦＤＭに基づいて多重化されてもよい。さらに、ＲＳポートのいくつかは、異なるＴＤ−ＯＣＣなど、時間領域のＣＤＭに基づいて多重化されてもよい。
【００５１】
いくつかの実施形態では、１つのシンボルに関連付けられたＤＭＲＳ設定２について、２つのＦＤ−ＯＣＣおよび３つのＲＥロケーション値に基づいて最大６つのＲＳポートが決定されてもよい。すなわち、各ＲＳポートは、それぞれのＦＤ−ＯＣＣおよびそれぞれのＲＥロケーション値に関連付けられる。いくつかの他の実施形態では、２つのシンボルに関連付けられたＤＭＲＳ設定２について、２つのＦＤ−ＯＣＣ、３つのＲＥロケーション値および２つのＴＤ−ＯＣＣに基づいて最大１２のＲＳポートが決定されてもよい。すなわち、各ＲＳポートは、それぞれのＦＤ−ＯＣＣ、それぞれのＲＥロケーション値、およびそれぞれのＴＤ−ＯＣＣに関連付けられる。いくつかの実施形態では、１つのシンボルに関連付けられたＤＭＲＳ設定２のポートインデックスは、２つのシンボルに関連付けられたＤＭＲＳ設定２のポートインデックスのいくつかと重複してもよい。具体的には、一実施形態では、同じＦＤ−ＯＣＣおよび同じＲＥロケーション値で設定された２つのＲＳポートが、同じポートインデックスを共有してもよい。このようにして、ＲＳポートのインデックスの数が削減されるため、ＲＳ設定を示すためのオーバーヘッドを削減できる。図７Ａおよび７Ｂは、そのような実施形態の例を示す。
【００５２】
図７Ａは、１つのシンボルに関連付けられたＤＭＲＳ設定２の例を示す。図７Ａは、ポートＡ、Ｂ、Ｃ、Ｄ、Ｅ、Ｆの６つのＲＳポートを示す。表３は、図７Ａに示すポートＡ、Ｂ、Ｃ、Ｄ、Ｅ、Ｆに関連する詳細情報を示す。一実施形態では、１つのシンボルに関連付けられたＤＭＲＳ設定２について、表３に示されるように、ポートＡ、Ｂ、Ｃ、Ｄ、Ｅ、およびＦに関連付けられたＴＤ−ＯＣＣは利用できない場合がある。別の実施形態では、１つのシンボルに関連付けられたＤＭＲＳ設定１の場合、ポートＡ、Ｂ、Ｃ、Ｄ、ＥおよびＦのそれぞれに関連付けられたＴＤ−ＯＣＣは｛＋１｝であってもよい。つまり、ポートＡ、Ｂ、Ｃ、Ｄ、Ｅ、およびＦのＲＳシーケンスは、各リソース要素に｛＋１｝を適用することによって多重化できる。さらに別の実施形態では、１つのシンボルに関連付けられたＤＭＲＳ設定２のためのＴＤ−ＯＣＣフィールドが無い場合がある。つまり、表３の４番目の列が存在しない場合がある。
【表３】
2020529169.tif 000005
【００５３】
図７Ａと表３に示すように、ポートＡとＢは同じシンボルにマッピングされ、周波数領域のＣＤＭに基づいて多重化される。たとえば、ポートＡとＢは異なるＦＤ−ＯＣＣで設定され、ポートＡはＦＤ−ＯＣＣ  ｆ０に関連付けられ、ポートＢはＦＤ−ＯＣＣ  ｆ１に関連付けられる。一実施形態では、ＦＤ−ＯＣＣ  ｆ０は、周波数領域で隣接する２つのＲＥに適用される｛１、１｝であってもよい。図７Ａと表３に示すように、２つの隣接するＲＥは同じシンボルにあるが、周波数領域では異なる位置にある。一実施形態では、ＦＤ−ＯＣＣ  ｆ１は、周波数領域において、ｆ０の値とは異なる２つの隣接するＲＥに適用される｛１、−１｝であってもよい。同様に、ポートＣとＤは同じシンボルにマッピングされ、周波数領域のＣＤＭに基づいて多重化される。たとえば、ポートＣとＤは異なるＦＤ−ＯＣＣで設定され、ポートＣはＦＤ−ＯＣＣ  ｆ０に関連付けられ、ポートＤはＦＤ−ＯＣＣ  ｆ１に関連付けられる。ポートＥとＦは同じシンボルにマップされ、周波数領域のＣＤＭに基づいて多重化される。たとえば、ポートＥとＦは異なるＦＤ−ＯＣＣで設定され、ポートＥはＦＤ−ＯＣＣ  ｆ０に関連付けられ、ポートＦはＦＤ−ＯＣＣ  ｆ１に関連付けられる。
【００５４】
一実施形態では、ポート（Ａ、Ｂ）、（Ｃ、Ｄ）および（Ｅ、Ｆ）は、ＦＤＭに基づいて多重化されてもよい。たとえば、ポート（Ａ、Ｂ）は、ポート（Ｃ、Ｄ）および（Ｅ、Ｆ）とは異なる周波数領域のＲＳリソースで設定される。さらに、ポート（Ｃ、Ｄ）は、ポート（Ａ、Ｂ）および（Ｅ、Ｆ）とは異なる周波数領域のＲＳリソースで設定される。さらに、ポート（Ｅ、Ｆ）は、ポート（Ａ、Ｂ）および（Ｃ、Ｄ）とは異なる周波数領域のＲＳリソースで設定される。つまり、ポート（Ａ、Ｂ）、（Ｃ、Ｄ）および（Ｅ、Ｆ）はそれぞれ異なるＲＥロケーション値で設定され、ポート（Ａ、Ｂ）はＲＥロケーション値ａ０に関連付けられ、ポート（Ｃ、Ｄ）はＲＥロケーション値ａ１に関連付けられ、ポート（Ｅ、Ｆ）はＲＥロケーション値ａ２に関連付けられる。
【００５５】
図７Ｂは、２つのシンボルに関連付けられたＤＭＲＳ設定２の例を示す。図７Ｂは、ポートＡ、Ｂ、Ｃ、Ｄ、Ｅ、Ｆ、Ｇ、Ｈ、Ｉ、Ｊ、Ｋ、Ｌの１２個のＲＳポートを示す。表４は、図７Ｂに示す、ポートＡ、Ｂ、Ｃ、Ｄ、Ｅ、Ｆ、Ｇ、Ｈ、Ｉ、Ｊ、ＫおよびＬの詳細情報を示す。
【表４】
2020529169.tif 000006
【００５６】
図７Ｂおよび表４に示されるように、一実施形態では、ポートＡおよびＢは同じシンボルにマッピングされ、周波数領域のＣＤＭに基づいて多重化される。たとえば、ポートＡとＢは異なるＦＤ−ＯＣＣで設定され、ポートＡはＦＤ−ＯＣＣ  ｆ０に関連付けられ、ポートＢはＦＤ−ＯＣＣ  ｆ１に関連付けられる。一実施形態では、ＦＤ−ＯＣＣ  ｆ０は、周波数領域で隣接する２つのＲＥに適用される｛１、１｝であってもよい。図７Ｂと表４に示すように、２つの隣接するＲＥは同じシンボルにあるが、周波数領域では異なる位置にある。一実施形態では、ＦＤ−ＯＣＣ  ｆ１は、周波数領域において２つの隣接するＲＥに適用される｛１、−１｝であってもよく、これはｆ０の値とは異なる。同様に、ポートＣとＤは同じシンボルにマッピングされ、周波数領域のＣＤＭに基づいて多重化される。たとえば、ポートＣとＤは異なるＦＤ−ＯＣＣで設定され、ポートＣはＦＤ−ＯＣＣ  ｆ０に関連付けられ、ポートＤはＦＤ−ＯＣＣ  ｆ１に関連付けられる。ポートＥとＦは同じシンボルにマップされ、周波数領域のＣＤＭに基づいて多重化される。たとえば、ポートＥとＦは異なるＦＤ−ＯＣＣで設定され、ポートＥはＦＤ−ＯＣＣ  ｆ０に関連付けられ、ポートＦはＦＤ−ＯＣＣ  ｆ１に関連付けられる。ポートＧおよびＨは、同じシンボルにマッピングされ、周波数領域のＣＤＭに基づいて多重化される。たとえば、ポートＧとポートＨは異なるＦＤ−ＯＣＣで設定され、ポートＧはＦＤ−ＯＣＣ  ｆ０と関連付けられ、ポートＨはＦＤ−ＯＣＣ  ｆ１と関連付けられる。ポートＩとＪは、同じシンボルにマップされ、周波数領域のＣＤＭに基づいて多重化される。たとえば、ポートＩとＪは異なるＦＤ−ＯＣＣで設定され、ポートＩはＦＤ−ＯＣＣ  ｆ０に関連付けられ、ポートＪはＦＤ−ＯＣＣ  ｆ１に関連付けられる。ポートＫとＬは同じシンボルにマッピングされ、周波数領域のＣＤＭに基づいて多重化される。たとえば、ポートＫとＬは異なるＦＤ−ＯＣＣで設定され、ポートＫはＦＤ−ＯＣＣ  ｆ０に関連付けられ、ポートＬはＦＤ−ＯＣＣ  ｆ１に関連付けられる。
【００５７】
一実施形態では、ポート（Ａ、Ｂ）および（Ｇ、Ｈ）は、異なるＴＤ−ＯＣＣなどの時間領域のＣＤＭに基づいて多重化されてもよい。たとえば、ポート（Ａ、Ｂ）および（Ｇ、Ｈ）は異なるＴＤ−ＯＣＣで設定され、ポート（Ａ、Ｂ）はＴＤ−ＯＣＣ  ｔ０に関連付けられ、ポート（Ｇ、Ｈ）はＴＤ−ＯＣＣ  ｔ１に関連付けられる。一実施形態では、ＴＤ−ＯＣＣ  ｔ０は、２つの隣接するＲＥに適用される｛１、１｝であってもよい。図５Ｂに示すように、２つの隣接するＲＥは、周波数領域の同じ位置にあるが、２つの異なるシンボルにある。一実施形態では、ＴＤ−ＯＣＣ  ｔ１は、ｔ０の値とは異なる２つの隣接するＲＥに適用される｛１、−１｝であってもよい。同様に、ポート（Ｃ、Ｄ）および（Ｉ、Ｊ）は、異なるＴＤ−ＯＣＣなど、時間領域のＣＤＭに基づいて多重化されてもよい。たとえば、ポート（Ｃ、Ｄ）および（Ｉ、Ｊ）は異なるＴＤ−ＯＣＣで設定され、ポート（Ｃ、Ｄ）はＴＤ−ＯＣＣ  ｔ０に関連付けられ、ポート（Ｉ、Ｊ）はＴＤ−  ＯＣＣ  ｔ１に関連付けられる。ポート（Ｅ、Ｆ）および（Ｋ、Ｌ）は、異なるＴＤ−ＯＣＣなど、時間領域のＣＤＭに基づいて多重化されてもよい。たとえば、ポート（Ｅ、Ｆ）および（Ｋ、Ｌ）は異なるＴＤ−ＯＣＣで設定され、ポート（Ｅ、Ｆ）はＴＤ−ＯＣＣ  ｔ０に関連付けられ、ポート（Ｋ、Ｌ）はＴＤ−ＯＣＣ  ｔ１に関連付けられる。
【００５８】
一実施形態では、ポート（Ａ、Ｂ、Ｇ、Ｈ）、（Ｃ、Ｄ、Ｉ、Ｊ）および（Ｅ、Ｆ、Ｋ、Ｌ）は、ＦＤＭに基づいて多重化されてもよい。たとえば、ポート（Ａ、Ｂ、Ｇ、Ｈ）は、ポート（Ｃ、Ｄ、Ｉ、Ｊ）および（Ｅ、Ｆ、Ｋ、Ｌ）とは異なる周波数領域のＲＳリソースで設定される。さらに、ポート（Ｃ、Ｄ、Ｉ、Ｊ）は、ポート（Ａ、Ｂ、Ｇ、Ｈ）および（Ｅ、Ｆ、Ｋ、Ｌ）とは異なる周波数領域のＲＳリソースで設定される。また、ポート（Ｅ、Ｆ、Ｋ、Ｌ）は、ポート（Ａ、Ｂ、Ｇ、Ｈ）および（Ｃ、Ｄ、Ｉ、Ｊ）とは異なる周波数領域のＲＳリソースで設定される。つまり、ポート（Ａ、Ｂ、Ｇ、Ｈ）、（Ｃ、Ｄ、Ｉ、Ｊ）および（Ｅ、Ｆ、Ｋ、Ｌ）はそれぞれ異なるＲＥロケーション値で設定され、ポート（Ａ、Ｂ、Ｇ、Ｈ）はＲＥロケーション値ａ０に関連付けられ、ポート（Ｃ、Ｄ、Ｉ、Ｊ）はＲＥロケーション値ａ１に関連付けられ、ポート（Ｅ、Ｆ、Ｋ、Ｌ）はＲＥロケーション値ａ２に関連付けられる。
【００５９】
表３および表４から、同じＦＤ−ＯＣＣおよび同じＲＥロケーション値に関連付けられたＲＳポートが同じポートインデックスを共有できることがわかる。そのため、ＲＳポートのインデックスの数を減らすことができるため、ＲＳ設定を示すためのオーバーヘッドが削減される。
【００６０】
戻って、図３を参照すると、方法３００は、複数のＲＳ設定が決定される動作３２０を超える。いくつかの実施形態では、複数のＲＳ設定は、少なくとも動作３１０で決定された複数のＲＳポートに基づいて決定されてもよい。例えば、複数のＲＳ設定の各々は、ＲＳ設定パターン、ＲＳ送信に使用されるＲＳポートのセット、それぞれのＲＳシーケンス、アンテナポート、および／またはスクランブリング識別、および／または送信レイヤ数、送信電力などのうち少なくとも１つに関する情報を含んでもよい。
【００６１】
いくつかの実施形態では、異なるＲＳポートに対して異なるＲＳシーケンスが生成されてもよい。一実施形態では、ＦＤＭに基づいて多重化された、または異なるコームオフセット値で設定された、または周波数領域で異なるＲＥロケーションで設定されたＲＳポートのＲＳシーケンスは、異なってもよい。別の実施形態では、時間領域のＣＤＭに基づいて多重化されたＲＳポートのＲＳシーケンスは、異なってもよい。別の実施形態では、周波数領域のＣＤＭに基づいて多重化されたＲＳポートのＲＳシーケンスは、同じであってもよい。
【００６２】
いくつかの実施形態では、周波数領域のすべてのＲＥについてＲＳシーケンスが生成されてもよい。各ＲＳポートについて、ＲＳポートに割り当てられたＲＥ上で送信されたそれぞれのシンボルは、ＲＳ送信のために導出されてもよい。いくつかの実施形態では、ＲＳポートで送信されるＲＳシーケンスは、ＲＳポートに関連付けられたＣＳ値に少なくとも部分的に基づいて決定されてもよい。例えば、ＲＳシーケンスの巡回シフトおよび／または位相回転パラメータは、ＲＳシーケンスを送信するためのＲＳポートに関連付けられたＣＳ値に基づいて決定されてもよい。一実施形態では、ＲＳシーケンスｒα（ｎ）は、ｒα（ｎ）＝ｅｊαｍｒ（ｎ）などの巡回シフトパラメータαを、ベースシーケンスｒ（ｎ）に適用することによって決定されてもよい。たとえば、ｍは異なるＲＥに適用される巡回シフトのインデックスを表し、ｎはＲＳシーケンスの送信シンボルのインデックスを表す。たとえば、異なるＲＥに適用される巡回シフトのインデックスは、ＲＳシーケンスの送信シンボルのインデックスと同じであってもよく、すなわち、ｍ＝ｎであってもよい。
【００６３】
図５Ａ（１つのシンボルに関連付けられたＤＭＲＳ設定１の例を示す）に示すように、ＤＭＲＳ設定１を例にとると、ポートＡおよびＣはＣＳ値ｃ０に関連付けられ、ポートＢおよびＤはＣＳ値ｃ１に関連付けられる。図５Ｂ（２つのシンボルに関連付けられたＤＭＲＳ設定１の例を示す）に示すように、ポートＡ、Ｃ、ＥおよびＧはＣＳ値ｃ０に関連付けられ、ポートＢ、Ｄ、ＦおよびＨはＣＳ値ｃ１に関連付けられる。いくつかの実施形態では、異なるＣＳ値ｃ０およびｃ１は、それぞれ、ＲＳシーケンスの異なる巡回シフトパラメータに対応する。例えば、ＣＳ値ｃ０は巡回シフトパラメータα１に対応し、一方、ＣＳ値ｃ１は別の巡回シフトパラメータα２に対応する。
【００６４】
図５Ｃは、周波数領域の巡回シフトに基づいて多重化されたＲＳポートの例を示す。例えば、一実施形態では、１つの物理リソースブロック（ＰＲＢ：Physical Resource Block）内の６つのＲＥが、１つのＲＳポートに対して設定される。この場合、巡回シフトパラメータがｃ０として設定される場合、ＰＲＢの６つのＲＥに適用される巡回シフトは、（１、ｅｊα１、ｅｊ２α１、ｅｊ３α１、ｅｊ４α１、ｅｊ５α１）になる。巡回シフトパラメータがｃ１として設定される場合、ＰＲＢの６つのＲＥに適用される巡回シフトは、（１、ｅｊα２、ｅｊ２α２、ｅｊ３α２、ｅｊ４α１、ｅｊ５α２）になる。
【００６５】
いくつかの実施形態では、２つの巡回シフトパラメータα１およびα２は、位相差π、すなわち、α１＝α２＋π、または、α２＝α１＋πを有する。ｍが偶数の場合、ｅｊα１ｍ＝−ｅｊα２ｍである。ｍが奇数の場合、ｅｊα１ｍ＝−ｅｊα２ｍである。一実施形態では、ｍは、ＲＳシーケンス内の送信されたシンボルのインデックスを表す。あるいは、ｍは、周波数領域でのＲＥのインデックスを表す。一実施形態では、周波数領域の偶数のＲＥに対して、ｍは０に固定されてもよい。さらに、周波数領域の奇数のＲＥに対して、ｍは１に固定されてもよい。別の実施形態では、ｍ＝ｍｏｄ（ｎ、２）である。例えば、一実施形態では、１つの物理リソースブロック（ＰＲＢ：Physical Resource Block）内の６つのＲＥは、１つのＲＳポートに対して設定されてもよい。この場合、巡回シフトパラメータがｃ０として設定されている場合、ＰＲＢの６つのＲＥに適用される巡回シフトは、（１、ｅｊα１、ｅｊ２α１、ｅｊ３α１、ｅｊ４α１、ｅｊ５α１）である。巡回シフトパラメータがｃ１として設定されている場合、ＰＲＢの６つのＲＥに適用される巡回シフトは、（１、−ｅｊα１、ｅｊ２α１、−ｅｊ３α１、ｅｊ４α１、−ｅｊ５α１）である。特に、一実施形態では、２つの巡回シフトパラメータα１およびα２は、それぞれ０およびπであってもよい。巡回シフト値がｃ０として設定される場合、ＰＲＢの６つのＲＥに適用される巡回シフトは、（１、１、１、１、１、１）になる。循環シフト値がｃ１として設定される場合、ＰＲＢの６つのＲＥに適用される循環シフトは、（１、−１、１、−１、１、−１）になる。
【００６６】
いくつかの実施形態では、巡回シフトパラメータ（例えば、α１およびα２）は、無線リソース制御（ＲＲＣ：Radio Resource Control）レイヤ、メディアアクセス制御（ＭＡＣ：Medium Access Control）レイヤなどのシグナリングなどの上位レイヤシグナリングを介して設定されてもよい。
【００６７】
いくつかの実施形態では、巡回シフトパラメータは、いくつかの設定パラメータの異なる値に対して異なってもよい。例えば、設定パラメータは、シンボルインデックス、スロットインデックス、サブフレームインデックス、フレームインデックス、セルＩＤ、ＴＲＰ  ＩＤ、パネルＩＤ、ビームＩＤ、周波数ロケーション、コームオフセット値などのうち少なくとも１つであってもよい。一実施形態では、巡回シフト値ｃ０およびｃ１について、少なくとも１つの設定パラメータの異なる値に関連付けられた巡回シフトパラメータα１およびα２の１つまたは複数のセットがあってもよい。つまり、設定パラメータの少なくとも１つの異なる値に対して、α１とα２の値は異なってもよい。例えば、巡回シフト値ｃ０およびｃ１について、設定パラメータの少なくとも１つが第１の値になるように設定される場合、巡回シフトパラメータα１およびα２の値は、それぞれα１＿１およびα２＿１に等しくてもよい。設定パラメータの少なくとも１つが第１の値とは異なる第２の値になるように設定される場合、巡回シフトパラメータα１およびα２の値は、それぞれα１＿２およびα２＿２に等しくてもよい。例えば、コームオフセット値がｂ０として設定される場合、巡回シフトパラメータα１およびα２の値は、それぞれα１＿１およびα２＿１に等しくてもよい。コームオフセット値がｂ１として設定される場合、巡回シフトパラメータα１およびα２の値は、それぞれα１＿２およびα２＿２に等しくてもよい。別の例では、ＤＭＲＳが２つのシンボルで設定される場合、ＤＭＲＳの第１のシンボルについて、巡回シフトパラメータα１およびα２の値は、それぞれα１＿１およびα２＿１に等しくてもよい。一方、ＤＭＲＳの第２のシンボルについて、巡回シフトパラメータα１およびα２の値は、それぞれα１＿２およびα２＿２に等しくてもよい。上記の例では、α１＿１はα１＿２とは異なり、α２＿１はα２＿２とは異なる。たとえば、異なるセルＩＤまたはＴＲＰ  ＩＤの場合、巡回シフトパラメータは、異なってもよい。ただし、特定のセルＩＤまたはＴＲＰ  ＩＤの場合、巡回シフトパラメータは、セルおよび／またはＴＲＰがサービスを提供するすべてのＵＥで同一であってもよい。いくつかの実施形態では、巡回シフトパラメータα１およびα２の各セットについて、位相差は固定される。たとえば、α１＿ｉ−α２＿ｉ＝Δαであり、ここで、α１＿ｉはα１の値を表し、α２＿ｉはα２の値を表し、Δαは固定値である。別の例では、２つの巡回シフトパラメータの位相差の絶対値は、同じであってもよく、つまり、｜α１＿ｉ−α２＿ｉ｜＝Δαである。
【００６８】
いくつかの実施形態では、２つの巡回シフト値ｃ０およびｃ１に対応する２つの巡回シフトパラメータ（α１、α２）は、（０、３）、（１、４）および（２、５）のうちの少なくとも１つから選択されてもよい。
【００６９】
いくつかの実施形態では、例えば、異なる巡回シフト値、異なるＦＤ−ＯＣＣまたは異なるＴＤ−ＯＣＣで設定された周波数領域のＣＤＭおよび／または時間領域のＣＤＭに基づいて、ＲＳポートが多重化される場合、ＲＳポートのＲＳシーケンスは、同じであってもよい。いくつかの実施形態では、異なるＲＳポートについて、時間および／または周波数領域で同じＲＥで送信されるＲＳシンボルは、同じであってもよい。
【００７０】
一実施形態では、例えば、図５Ａに示すように、１つのシンボルに関連付けられたＤＭＲＳ設定１が設定される場合、ポートＡのＲＳシーケンスは、ポートＣのＲＳシーケンスと同じであり、ポートＢのＲＳシーケンスは、ポートＤのＲＳシーケンスと同じである。例えば、ポートＡおよび／またはＣのＲＳシーケンスとポートＢおよび／またはＤのＲＳシーケンスは、同じでも異なっていてもよい。例えば、ポートＡおよび／またはＣで送信されるシンボルとポートＢおよび／またはＤで送信されるシンボルは、同じシーケンスから導出されてもよく、その値は異なっていてもよい。
【００７１】
一実施形態では、例えば、図５Ｂに示すように、２つのシンボルに関連付けられたＤＭＲＳ設定１が設定される場合、ポートＡのＲＳシーケンスはポートＣのＲＳシーケンスと同じであり、ポートＢのＲＳシーケンスはポートＤのＲＳシーケンスと同じであり、ポートＥのＲＳシーケンスはポートＧのＲＳシーケンスと同じであり、ポートＦのＲＳシーケンスはポートＨのＲＳシーケンスと同じであってもよい。たとえば、ポートＡおよび／またはＣのＲＳシーケンス、ポートＥおよび／またはＧのＲＳシーケンス、ポートＢおよび／またはＤのＲＳシーケンス、およびポートＦおよび／またはＨのＲＳシーケンスは同じであってもよく、または異なってもよい。例えば、ポートＡ、Ｃ、Ｅおよび／またはＧで送信されるシンボルと、ポートＢ、Ｄ、Ｆおよび／またはＨで送信されるシンボルは、同じシーケンスから導出されてもよく、その値は異なってもよい。例えば、第１のシンボルの巡回シフト値ｃ０について、対応する巡回シフトパラメータα１の値はα１＿１に等しくてもよい。第２のシンボルの巡回シフト値ｃ０について、対応する巡回シフトパラメータα１の値はα１＿２に等しくてもよい。第１のシンボルの巡回シフト値ｃ１について、対応する巡回シフトパラメータα２の値はα２＿１に等しくてもよい。第２のシンボルの巡回シフト値ｃ１について、対応する巡回シフトパラメータα２の値はα２＿２に等しくてもよい。一実施形態では、第１のＲＳシンボルのＲＳシーケンスが第２のＲＳシンボルのＲＳシーケンスと同じである場合、２つのＲＳシンボルの巡回シフトパラメータは、異なってもよい。つまり、α１＿１≠α１＿２であり、α２＿１≠α２＿２である。一実施形態では、２つのＲＳシンボルの巡回シフトパラメータが同じである場合、すなわち、α１＿１＝α１＿２であり、α２＿１＝α２＿２である場合、２つのＲＳシンボルで送信されるＲＳシーケンスは、異なってもよい。
【００７２】
一実施形態では、例えば、図７Ａに示すように、１つのシンボルに関連付けられたＤＭＲＳ設定２が設定される場合、ポートＡのＲＳシーケンスはポートＢのＲＳシーケンスと同じであり、ポートＣのＲＳシーケンスはポートＤのＲＳシーケンスと同じであり、ポートＥのＲＳシーケンスはポートＦのＲＳシーケンスと同じである。例えば、ポートＡおよび／またはＢのＲＳシーケンス、ポートＣおよび／またはＤのＲＳシーケンスは同じでも異なっていてもよい。ポートＡおよび／またはＢのＲＳシーケンスとポートＥおよび／またはＦのＲＳシーケンスは、同じでも異なっていてもよい。ポートＥおよび／またはＦのＲＳシーケンスとポートＣおよび／またはＤのＲＳシーケンスは、同じでも異なってもよい。例えば、ポートＡおよび／またはＢで送信されるシンボル、ポートＣおよび／またはＤで送信されるシンボル、およびポートＦおよび／またはＨで送信されるシンボルは、同じシーケンスから導出されてもよく、その値は異なってもよい。
【００７３】
一実施形態では、例えば、図７Ｂ示すように、２つのシンボルに関連付けられたＤＭＲＳ設定２が設定される場合、ポートＡのＲＳシーケンスはポートＢのＲＳシーケンスと同じであってもよい。ポートＣのＲＳシーケンスはポートＤのＲＳシーケンスと同じであってもよい。ポートＥのＲＳシーケンスはポートＦのＲＳシーケンスと同じであってもよい。ポートＧのＲＳシーケンスはポートＨのＲＳシーケンスと同じであってもよい。ポートＩのＲＳシーケンスはポートＪのＲＳシーケンスと同じであってもよい。さらに、ポートＫのＲＳシーケンスはポートＬのＲＳシーケンスと同じであってもよい。例えば、ポートＡ、Ｂ、Ｇ、および／またはＨのＲＳシーケンスとポートＣ、Ｄ、Ｉ、および／またはＪのＲＳシーケンスは、同じでも異なってもよい。ポートＡ、Ｂ、Ｇ、および／またはＨのＲＳシーケンスとポートＥ、Ｆ、Ｋ、および／またはＬのＲＳシーケンスは、同じでも異なってもよい。ポートＣ、Ｄ、Ｉ、および／またはＪのＲＳシーケンスとポートＥ、Ｆ、Ｋ、および／またはＬのＲＳシーケンスは、同じでも異なってもよい。例えば、ポートＡ、Ｂ、Ｇおよび／またはＨで送信されるシンボルと、ポートＣ、Ｄ、Ｉおよび／またはＪで送信されるシンボルと、ポートＥ、Ｆ、Ｋおよび／またはＬで送信されるシンボルが同じシーケンスから導出されてもよく、その値は異なってもよい。
【００７４】
一実施形態では、例えば、図５Ｂに示すように、２つのシンボルに関連付けられたＤＭＲＳ設定１が設定される場合、ポートＡ、Ｃ、Ｅ、ＧのＲＳシーケンスが同じで、ポートＢ、Ｄ、Ｆ、ＨのＲＳシーケンスが同じ場合、２つのシンボルの同じＲＳポートのＲＳシーケンスは異なる、または、２つのシンボルの同じ周波数ＲＥロケーションで送信されるＲＳシンボルが異なる場合がある。ポートＡおよび／またはＣのＲＳシーケンスとポートＥおよび／またはＧのＲＳシーケンスが異なる場合、または、ポートＢおよび／またはＤのＲＳシーケンスとポートＦおよび／またはＨのＲＳシーケンスが異なる場合、２つのシンボルの同じＲＳポートのＲＳシーケンスが同じである、または、２つのシンボルの同じ周波数ＲＥロケーションで送信されるＲＳシンボルが同じであるべきである。
【００７５】
一実施形態では、例えば、図７Ｂに示すように、２つのシンボルに関連付けられたＤＭＲＳ設定２が設定される場合、ポートＡ、Ｂ、Ｇ、ＨのＲＳシーケンスが同じであり、ポートＣ、Ｄ、Ｉ、ＪのＲＳシーケンスは同じであり、ポートＥ、Ｆ、Ｋ、ＬのＲＳシーケンスは同じである場合、２つのシンボルの同じＲＳポートのＲＳシーケンスは異なってもよく、または、２つのシンボルの同じ周波数ＲＥロケーションで送信されるＲＳシンボルは異なってもよい。ポートＡおよび／またはＢのＲＳシーケンスとポートＧおよび／またはＨのＲＳシーケンスが異なり、ポートＣおよび／またはＤのＲＳシーケンスとポートＩおよび／またはＪのＲＳシーケンスが異なり、またはポートＥおよび／またはＧのＲＳシーケンスとポートＫおよび／またはＬのＲＳシーケンスが異なる場合、２つのシンボルの同じポートのＲＳシーケンスは同じである、または、２つのシンボルの同じ周波数ＲＥロケーションで送信されるＲＳシンボルは、同じであるべきである。
【００７６】
図３に戻って、方法３００は動作３３０を超え、複数のＲＳ設定からの少なくとも１つのＲＳ設定がネットワークデバイス１１０によってサービスされる端末デバイス１２０に割り当てられる。いくつかの実施形態では、少なくとも１つのＲＳ設定は、ネットワークデバイス１１０によって複数のＲＳ設定から選択され、端末デバイス１２０に示されてもよい。少なくとも１つのＲＳ設定は、ＲＳ送信に使用される少なくとも１つのＲＳポートを示してもよい。
【００７７】
いくつかの実施形態では、少なくとも１つのＲＳ設定を端末デバイス１２０に示すために、ＲＳ設定パターンは、無線リソース制御（ＲＲＣ：Radio Resource Control）レイヤ、メディアアクセス制御（ＭＡＣ：Medium Access Control）レイヤなどのシグナリングのような、上位レイヤシグナリングを介して端末デバイス１２０に事前に示されてもよい（以下では「第１の指示」とも呼ばれる）。ＲＳ設定パターンの第１の指示は、帯域幅部分ごと、サブバンドごと、および／またはコンポーネントキャリアごとに行われてもよい。たとえば、ＤＭＲＳ設定パターン、ＤＭＲＳシンボルの数、フロントロードＤＭＲＳ以外の追加のＤＭＲＳが設定されているかどうか、および／またはＤＭＲＳポートの最大数は、上位レイヤのシグナリングによって示される。ＲＳ送信に使用される少なくとも１つのＲＳポートは、上位レイヤシグナリングおよび／または動的シグナリングを介して端末デバイス１２０にさらに示されてもよい（以下では「第２の指示」とも呼ばれる）。
例えば、いくつかの実施形態では、ネットワークデバイス１１０は、ダウンリンク制御情報（ＤＣＩ：Downlink Control Information）に少なくとも１つのＲＳポートに関する情報を含み、物理ダウンリンク制御チャネル（ＰＤＣＣＨ：Physical Downlink Control Channel）を介して端末デバイス１２０に示す。ＤＣＩに含まれる情報は、少なくとも１つのＲＳポートの少なくとも１つのポートインデックス、ならびにアンテナポート、スクランブリング識別、ＲＳ送信レイヤの数および／または他の情報を含んでもよい。
【００７８】
いくつかの実施形態では、動作３１０で決定された複数のＲＳポートは、ＲＳ送信に関する異なる想定に基づいて複数のセットに分割されてもよい。ＲＳポートの複数のセットは、互いに分離されてもよく、または部分的に互いにオーバーラップされてもよい。一実施形態では、ＲＳ送信レイヤの決定された数について、複数のセットのうちの少なくとも１つは第２の指示に含まれ、端末デバイスに示されてもよい。
【００７９】
上述のように、いくつかの実施形態では、ＲＳポートの異なるセットは、ＲＳ送信にそれぞれ関連する異なる想定に関連付けられてもよい。いくつかの実施形態では、異なる想定は、ＲＳシンボルの数、単一または複数のユーザスケジューリング、単一のＴＲＰまたは複数のＴＲＰスケジューリング、ＤＭＲＳおよびデータが同じシンボルで多重化されるかどうか、ＲＳ伝送信に関連付けられた電力オフセット、ＱＣＬ、ＲＳ送信レイヤおよびＰＴＲＳ設定に関する情報、のうちの少なくとも１つに向けられてもよい。
【００８０】
いくつかの実施形態では、ＲＳ情報を示す複数のインデックスがあってもよい。ＲＳ情報は、ＲＳポートの数、ＲＳポートのインデックス、ＲＳ送信のためのシンボルの数、ＲＳシーケンスの生成のためのスクランブリング識別、ＲＳのシーケンスインデックス、ＲＳポートの巡回シフト値、ＲＳポートのコームオフセット値、ＲＳポートのＲＥロケーション、時間領域のＯＣＣ値、周波数領域のＯＣＣ値など、のうちの少なくとも１つを含んでもよい。一実施形態では、ＤＭＲＳ設定パターンは、上位レイヤシグナリングを介してＤＭＲＳ設定１またはＤＭＲＳ設定２として設定されてもよい。加えて、ＤＣＩ内にＤＭＲＳ情報を示すための複数のインデックスがあってもよい。一実施形態では、異なるインデックスについて、異なる想定が、ＲＳシンボルの数、単一または複数のユーザスケジューリング、単一のＴＲＰまたは複数のＴＲＰスケジューリング、ＤＭＲＳおよびデータが同じシンボルで多重化されているかどうか、ＲＳ送信に関連する電力オフセット、ＱＣＬ、ＲＳ送信レイヤ、およびＰＴＲＳ設定に関する情報、のうちの少なくとも１つに向けられてもよい。一実施形態では、同じ数のＲＳポートまたはレイヤを示すインデックスについて、異なる想定が想定されてもよい。別の実施形態では、同じ数のＲＳポートまたはレイヤおよび同じＲＳポートインデックスを示すインデックスについて、異なる想定が想定されてもよい。
【００８１】
いくつかの実施形態では、ＤＭＲＳ情報を示すための複数のインデックスがあってもよい。例えば、複数のインデックスは、ＤＣＩで、および／または上位レイヤシグナリングを介して送信されてもよい。いくつかの実施形態では、同じ数のＤＭＲＳポートおよび／またはＤＭＲＳポートのインデックスを示すいくつかのインデックスがあってもよい。インデックスは、複数のサブセットに分割されてもよく、異なるサブセットについては、異なる想定が想定されてもよい。
【００８２】
一実施形態では、同じ数の送信レイヤ、同じ数のＤＭＲＳポート、または同じインデックスのＤＭＲＳポートを示す複数のインデックスがあってもよい。複数のインデックスは、第１および第２のサブセットである２つのサブセットに分割されてもよい。この場合、第１のサブセットに関連付けられたＤＭＲＳシンボルの数は１とみなされ、第２のサブセットに関連付けられたＤＭＲＳシンボルの数は２とみなされてもよい。例えば、レイヤの数またはＤＭＲＳポートの数は、ＤＭＲＳ設定１の場合は４以下、ＤＭＲＳ設定２の場合は６以下であってもよい。
【００８３】
一実施形態では、同じ数の送信レイヤ、同じ数のＤＭＲＳポート、または同じインデックスのＤＭＲＳポートを示す複数のインデックスがあってもよい。複数のインデックスは、第１および第２のサブセットである２つのサブセットに分割されてもよい。この場合、同じシンボルのＤＭＲＳとデータの多重化（ＦＤＭに基づくなど）は、第１のサブセットでサポートされ、同じシンボルのＤＭＲＳとデータの多重化（ＦＤＭに基づくなど）は、第２のサブセットでサポートされなくてもよい。
【００８４】
一実施形態では、同じ数の送信レイヤ、同じ数のＤＭＲＳポート、または同じインデックスのＤＭＲＳポートを示す複数のインデックスがあってもよい。複数のインデックスは、第１および第２のサブセットである２つのサブセットに分割されてもよい。この場合、第１サブセットについてはマルチユーザスケジューリングが想定され、第２サブセットについてはマルチユーザスケジューリングが想定されなくてもよい。たとえば、第２のサブセットについては、単一ユーザのスケジューリングのみを想定してもよい。
【００８５】
一実施形態では、同じ数の送信レイヤ、同じ数のＤＭＲＳポート、または同じインデックスのＤＭＲＳポートを示す複数のインデックスがあってもよい。複数のインデックスは、第１および第２のサブセットである２つのサブセットに分割されてもよい。この場合、第１のサブセットではマルチＴＲＰスケジューリングが想定され、第２のサブセットではマルチＴＲＰスケジューリングは想定されなくてもよい。たとえば、第２のサブセットには単一のＴＲＰスケジューリングのみが想定されてもよい。
【００８６】
一実施形態では、同じ数の送信レイヤ、同じ数のＤＭＲＳポート、または同じインデックスのＤＭＲＳポートを示す複数のインデックスがあってもよい。複数のインデックスは、第１および第２のサブセットである２つのサブセットに分割されてもよい。この場合、ＰＴＲＳポートの数は、第１のサブセットのＸであると想定され、ＰＴＲＳポートの数は、第２のサブセットのＹであると想定され、ただし、Ｘ≠Ｙである。
【００８７】
一実施形態では、同じ数の送信レイヤ、同じ数のＤＭＲＳポート、または同じインデックスのＤＭＲＳポートを示す複数のインデックスがあってもよい。複数のインデックスは、第１および第２のサブセットである２つのサブセットに分割されてもよい。この場合、ＤＭＲＳとデータ間の電力オフセット、または、ＰＴＲＳとＤＭＲＳ間の電力オフセット、または、ＰＴＲＳとデータ間の電力オフセットは、第１のサブセットのΔｐ１であると想定され、ＤＭＲＳとデータ間の電力オフセット、または、ＰＴＲＳとＤＭＲＳ間の電力オフセット、または、ＰＴＲＳとデータ間の電力オフセットは、第２のサブセットのΔｐ２と想定され、ただし、Δｐ１≠Δｐ２である。
【００８８】
一実施形態では、同じ数の送信レイヤ、同じ数のＤＭＲＳポート、または同じインデックスのＤＭＲＳポートを示す複数のインデックスがあってもよい。複数のインデックスは、Ｋ個のサブセットに分割されてもよく、ただし、Ｋは整数であり、Ｋ≧１である。この場合、ＤＭＲＳのシーケンスインデックスは、ｉ番目のサブセットのｉであると想定でき、ただし、１≦ｉ≦Ｋである。
【００８９】
一実施形態では、同じ数の送信レイヤ、同じ数のＤＭＲＳポート、または同じインデックスのＤＭＲＳポートを示す複数のインデックスがあってもよい。複数のインデックスは、Ｋが整数でＫ≧１であるＫ個のサブセットに分割されてもよい。この場合、ＰＴＲＳの１つのＰＲＢのＲＥインデックスは、サブセットごとに異なってもよい。たとえば、ｉ番目のサブセットのＲＥインデックスはＬｉで、１≦ｉ≦Ｋである。一実施形態では、ＰＴＲＳは、１つのＰＲＢ内のＲＥセットの１つ以上のＲＥにマッピングされてもよく、ＲＥセットはＤＭＲＳ送信に使用されてもよい。一実施形態では、ＲＥのグループにマッピングされたポートについて、ＰＴＲＳ送信のための異なるポートがＲＥのグループの異なるＲＥにマッピングされてもよい。たとえば、１つのＰＲＢでは、同じシンボルに１２個のＲＥが存在してもよい。
【００９０】
一実施形態では、図５Ａまたは図５Ｂに示すように、ポートＡおよびＣは、第１、第３、第５、第７、第９および第１１のＲＥにマッピングされ、ＲＥは、第１および第２のサブセットに分割されてもよい。ポートＡに関連付けられたＰＴＲＳは、第１のサブセットの１つ以上のＲＥにマッピングされ、ポートＣに関連付けられたＰＴＲＳは、第２のサブセットの１つ以上のＲＥにマッピングされてもよい。ポートＢおよびＤは、第２、第４、第６、第８、第１０、および第１２のＲＥにマッピングされ、ＲＥは第３と第４のサブセットである２つのサブセットに分割されてもよい。ポートＢに関連付けられたＰＴＲＳは、第３のサブセットの１つ以上のＲＥにマッピングされ、ポートＤに関連付けられたＰＴＲＳは、第４のサブセットの１つ以上のＲＥにマッピングされてもよい。たとえば、ポートＡに関連付けられたＰＴＲＳは、第１、第３、および第５のＲＥの１つ以上にマッピングされ、ポートＣに関連付けられたＰＴＲＳは、第７、第９、および第１１のＲＥの１つ以上にマッピングされてもよい。別の例では、ポートＢに関連付けられたＰＴＲＳは、第２、第４、および第６のＲＥの１つ以上にマッピングされ、ポートＤに関連付けられたＰＴＲＳは、第８、第１０、および第１２のＲＥの１つ以上にマッピングされてもよい。
【００９１】
一実施形態では、図５Ｂに示されるように、ポートＡ、Ｃ、Ｅ、Ｇは、第１、第３、第５、第７、第９および第１１のＲＥにマッピングされてもよい。ポートＡおよび／またはポートＣに関連付けられたＰＴＲＳは、ポートＥおよび／またはポートＧに関連付けられたＰＴＲＳとは異なるＲＥにマッピングされてもよい。ポートＢ、Ｄ、Ｆ、およびＨは、第２、第４、第６、第８、第１０、および第１２のＲＥにマッピングされてもよい。ポートＢおよび／またはポートＤに関連付けられたＰＴＲＳは、ポートＦおよび／またはポートＨに関連付けられたＰＴＲＳとは異なるＲＥにマッピングされてもよい。別の実施形態では、ポートＡ、Ｃ、ＥおよびＧに関連付けられたＰＴＲＳは、互いに異なるＲＥにマッピングされてもよい。別の実施形態では、ポートＢ、Ｄ、ＦおよびＨに関連付けられたＰＴＲＳは、互いに異なるＲＥにマッピングされてもよい。たとえば、ポートＡに関連付けられたＰＴＲＳは、第１、第３、および第５のＲＥの１つ以上にマッピングされてもよい。ポートＣに関連付けられたＰＴＲＳは、第１、第３、および第５のＲＥの１つ以上にマッピングされてもよい。ポートＥに関連付けられたＰＴＲＳは、第７、第９、および第１１のＲＥの１つ以上にマッピングされてもよい。ポートＧに関連付けられたＰＴＲＳは、第７、第９、および第１１のＲＥの１つ以上にマッピングされてもよい。別の例として、ポートＢに関連付けられたＰＴＲＳは、第２、第４、および第６のＲＥの１つ以上にマッピングされてもよい。ポートＤに関連付けられたＰＴＲＳは、第２、第４、および第６のＲＥの１つ以上にマッピングされてもよい。ポートＦに関連付けられたＰＴＲＳは、第８、第１０、および第１２のＲＥにマッピングされてもよい。ポートＨに関連付けられたＰＴＲＳは、第８、第１０、および第１２のＲＥにマッピングされてもよい。
【００９２】
一実施形態では、図７Ａまたは図７Ｂに示すように、ポートＡおよびＢは、第１、第２、第７、第８のＲＥにマッピングされてもよく、ＲＥは、第１と第２のサブセットである２つのサブセットに分割されてもよい。ポートＡに関連付けられたＰＴＲＳは、第１のサブセットの１つ以上のＲＥにマッピングされ、ポートＢに関連付けられたＰＴＲＳは、第２のサブセットの１つ以上のＲＥにマッピングされてもよい。ポートＣおよびＤは、第３、第４、第９、第１０のＲＥにマッピングされてもよく、ＲＥは、第３と第４のサブセットである２つのサブセットに分割されてもよい。ポートＣに関連付けられたＰＴＲＳは、第３のサブセットの１つ以上のＲＥにマッピングされ、ポートＤに関連付けられたＰＴＲＳは、第４のサブセットの１つ以上のＲＥにマッピングされてもよい。ポートＥおよびＦは、第５、第６、第１１、第１２のＲＥにマッピングされてもよく、ＲＥは、第５と第６のサブセットである２つのサブセットに分割されてもよい。ポートＥに関連付けられたＰＴＲＳは、第５のサブセットの１つ以上のＲＥにマッピングされ、ポートＦに関連付けられたＰＴＲＳは、第６のサブセットの１つ以上のＲＥにマッピングされてもよい。
【００９３】
一実施形態では、図７Ｂに示されるように、ポートＡ、Ｂ、ＧおよびＨは、第１、第２、第７、第８のＲＥにマッピングされてもよく、ＲＥは、第１および第２のサブセットである２つのサブセットに分割されてもよい。ポートＡおよび／またはＢに関連付けられたＰＴＲＳは、第１サブセットの１つ以上のＲＥにマッピングされ、ポートＧおよび／またはＨに関連付けられたＰＴＲＳは、第２サブセットの１つ以上のＲＥにマッピングされてもよい。ポートＣ、Ｄ、Ｉ、およびＪは、第３、第４、第９、第１０のＲＥにマッピングされ、ポートＣおよび／またはポートＤに関連付けられたＰＴＲＳは、ポートＩおよび／またはＪに関連付けられたＰＴＲＳとは異なるＲＥにマッピングされてもよい。ポートＥ、Ｆ、Ｋ、およびＬは、第５、第６、第１１、第１２のＲＥにマッピングされ、ポートＥおよび／またはＦに関連付けられたＰＴＲＳは、ポートＫおよび／またはＬに関連付けられたＰＴＲＳとは異なるＲＥにマッピングされてもよい。別の実施形態では、ポートＡ、Ｂ、Ｇ、およびＨに関連付けられたＰＴＲＳは、互いに異なるＲＥにマッピングされてもよい。別の実施形態では、ポートＣ、Ｄ、Ｉ、およびＪに関連付けられたＰＴＲＳは、互いに異なるＲＥにマッピングされてもよい。別の実施形態では、ポートＥ、Ｆ、Ｋ、およびＬに関連付けられたＰＴＲＳは、互いに異なるＲＥにマッピングされてもよい。いくつかの実施形態では、周波数領域に６セットの２つの隣接するＲＥがあってもよく、２つの隣接するＲＥの６セットのうちの１つは、ＦＤ−ＯＣＣに基づいて多重化されたＲＥであってもよい。たとえば、６つのセットは、｛ｓ０、ｓ１、ｓ２、ｓ３、ｓ４、ｓ５｝として示され、６つのセットのうち２つ（たとえば、ｓ０およびｓ３）は、ポートＡ、Ｂ、Ｇ、およびＨに使用され、６セットのうちの別の２つ（たとえば、ｓ１およびｓ４）は、ポートＣ、Ｄ、Ｇ、およびＨに使用され、６つのセットのうちの残りの２つ（たとえば、ｓ２およびｓ５）は、ポートＥ、Ｆ、Ｋ、およびＬに使用されてもよい。一実施形態では、ポートＡに関連付けられたＰＴＲＳは、ｓ０の１つのＲＥにマッピングされ、ポートＢに関連付けられたＰＴＲＳは、ｓ０の別のＲＥにマッピングされてもよい。ポートＧに関連付けられたＰＴＲＳは、ｓ３の１つのＲＥにマッピングされ、ポートＨに関連付けられたＰＴＲＳは、ｓ３の別のＲＥにマッピングされてもよい。ポートＣに関連付けられたＰＴＲＳは、ｓ１の１つのＲＥにマッピングされ、ポートＤに関連付けられたＰＴＲＳは、ｓ１の別のＲＥにマッピングされてもよい。ポートＩに関連付けられたＰＴＲＳは、ｓ４の１つのＲＥにマッピングされ、ポートＪに関連付けられたＰＴＲＳは、ｓ４の別のＲＥにマッピングされてもよい。ポートＥに関連付けられたＰＴＲＳは、ｓ２の１つのＲＥにマッピングされ、ポートＦに関連付けられたＰＴＲＳは、ｓ２の別のＲＥにマッピングされてもよい。ポートＫに関連付けられたＰＴＲＳは、ｓ５の１つのＲＥにマッピングされ、ポートＬに関連付けられたＰＴＲＳは、ｓ５の別のＲＥにマッピングされてもよい。
【００９４】
いくつかの実施形態では、ＤＭＲＳ情報を示すための複数の指示があってもよく、そのうちの１つは、ＤＭＲＳポートまたはレイヤの数および／またはＤＭＲＳポートのインデックスのうちの少なくとも１つを示してもよい。いくつかの実施形態では、示されたＤＭＲＳ情報について、ＤＭＲＳポートは異なる方法で多重化されてもよい。たとえば、ＤＭＲＳポートは、ＦＤＭ、周波数領域のＣＤＭ、時間領域のＣＤＭ、ＩＦＤＭＡ、異なる巡回シフト値、異なるＴＤ−ＯＣＣ値、異なるＦＤ−ＯＣＣ値などのうちの少なくとも１つに基づいて多重化されてもよい。いくつかの実施形態では、異なるＤＭＲＳポート多重化方式（「多重化タイプ」とも呼ばれる）は、異なる想定に関連付けられてもよい。
【００９５】
一実施形態では、複数の指示のいくつかについて、周波数領域のＣＤＭおよび／または時間領域のＣＤＭに基づいてＤＭＲＳポートが多重化される場合、マルチユーザスケジューリングが想定されてもよい。別の実施形態では、複数の指示のいくつかについて、ＤＭＲＳポートが時間領域でＦＤＭまたはＩＦＤＭＡおよび／またはＣＤＭに基づいて多重化される場合、シングルユーザスケジューリングが想定されてもよい。一実施形態では、複数の指示のいくつかについて、周波数領域のＣＤＭおよび／または時間領域のＣＤＭに基づいてＤＭＲＳポートが多重化される場合、ＤＭＲＳと同じシンボルのデータの多重化（ＦＤＭに基づくなど）サポートされてもよい。別の実施形態では、複数の指示のうちのいくつかについて、ＤＭＲＳポートがＦＤＭおよび／またはＩＦＤＭＡに基づいて多重化される場合、ＤＭＲＳと同じシンボル（ＦＤＭに基づくなど）のデータの多重化はサポートされなくてもよい。
【００９６】
一実施形態では、複数の指示のうちのいくつかについて、周波数領域のＣＤＭおよび／または時間領域のＣＤＭに基づいてＤＭＲＳポートが多重化される場合、ＰＴＲＳポートの数はＸであると想定される。別の実施形態では、複数の指示のうちのいくつかについて、ＤＭＲＳポートが時間領域でＦＤＭまたはＩＦＤＭＡおよび／またはＣＤＭに基づいて多重化される場合、ＰＴＲＳポートの数はＹと想定され、Ｘ≠Ｙである。一実施形態では、複数の指示のいくつかについて、周波数領域のＣＤＭおよび／または時間領域のＣＤＭに基づいてＤＭＲＳポートが多重化される場合、ＤＭＲＳとデータ間の電力オフセット、ＰＴＲＳとＤＭＲＳ間の電力オフセット、または、ＰＴＲＳとデータ間の電力オフセットは、Δｐ１であると想定される。別の実施形態では、複数の指示のいくつかについて、ＤＭＲＳポートがＦＤＭまたはＩＦＤＭＡおよび／または時間領域のＣＤＭに基づいて多重化される場合、ＤＭＲＳとデータ間の電力オフセット、ＰＴＲＳとＤＭＲＳ間の電力オフセット、またはＰＴＲＳとデータ間のオフセットは、Δｐ２と想定されてもよく、Δｐ１≠Δｐ２である。一実施形態では、複数の指示のいくつかについて、周波数領域のＣＤＭおよび／または時間領域のＣＤＭに基づいてＤＭＲＳポートが多重化される場合、ＤＭＲＳのシーケンスインデックスは、ｉであると想定されてもよい。別の実施形態では、複数の指示のいくつかについて、ＤＭＲＳポートがＦＤＭまたはＩＦＤＭＡおよび／または時間領域のＣＤＭに基づいて多重化される場合、ＰＴＲＳポートの数は、ｊであると想定され、Ｉ≠Ｊである。
【００９７】
たとえば、ＤＭＲＳ設定１の場合、ＤＭＲＳが１つのシンボルに関連付けられている場合、最大４つのポート（ポートＡ、Ｂ、Ｃ、Ｄなど）がサポートされてもよい。ＤＭＲＳが２つのシンボルに関連付けられている場合、最大８つのポート（たとえば、ポートＡ、Ｂ、Ｃ、Ｄ、Ｅ、Ｆ、Ｇ、およびＨ）がサポートされてもよい。いくつかの実施形態では、ＲＳ送信に関する異なる想定に基づいて、最大８個のポートを複数のセットに分割されてもよい。ＲＳ送信レイヤの決定された数について、ＲＳポートの少なくとも１つのセットが複数のセットから選択され、第２の指示に含まれてもよい。
【００９８】
いくつかの実施形態では、１つの送信レイヤについて、複数のセットは、セット００｛ポートＡ、ポートＢ、ポートＣ、ポートＤ｝と、セット０１｛ポートＡ、ポートＢ、ポートＣ、ポートＤ｝と、セット０２｛ポートＡ、ポートＢ｝と、セット０３｛ポートＣ、ポートＤ｝と、を含むが、これらには限定されない。一実施形態では、上記複数のセットのうちの少なくとも１つは、第２の指示に含まれ、端末デバイス１２０に示される。上記記複数のセットは、それぞれ、ＲＳ送信に関する異なる想定に関連付けられてもよい。
【００９９】
一実施形態では、例えば、セット００｛ポートＡ、ポートＢ、ポートＣ、ポートＤ｝に関連する想定は、データ送信用のリソースとＤＭＲＳ送信用のリソースをＦＤＭに基づいて多重化できないことが含まれる場合がある。次に、いくつの端末デバイスがスケジュールされていても、ＤＭＲＳの送信電力（「ｐ＿ＤＭＲＳ」とも呼ばれる）は、データ（「ｐ＿ｄａｔａ」とも呼ばれる）の送信電力よりも３ｄＢ高く、すなわち、ｐ＿ＤＭＲＳ＝ｐ＿ｄａｔａ＋３ｄＢである。代替的または追加的に、別の実施形態では、セット００｛ポートＡ、ポートＢ、ポートＣ、ポートＤ｝に関連する想定は、ＰＴＲＳを送信するためのＲＥが、それぞれのＤＭＲＳポートに関連付けられたＲＥとは異なる場合があることを含んでもよい。
【０１００】
一実施形態では、例えば、セット０２｛ポートＡ、ポートＢ｝に関連する想定は、データ送信用のリソースとＤＭＲＳ送信用のリソースがＦＤＭに基づいて多重化されていることが含まれる。次に、ＤＭＲＳの送信電力は、データの送信電力と同じであるべきであり、すなわち、ｐ＿ＤＭＲＳ＝ｐ＿ｄａｔａである。代替的または追加的に、別の実施形態では、セット０２｛ポートＡ、ポートＢ｝に関連する想定は、ＰＴＲＳを送信するためのＲＥがポートＡおよび／またはポートＢに関連付けられたＲＥと同じであることが含まれる場合がある。次に、ＰＴＲＳの送信電力（「ｐ＿ＰＴＲＳ」とも呼ばれる）は、ＤＭＲＳの送信電力と同じであるべきであり、すなわち、ｐ＿ＰＴＲＳ＝ｐ＿ＤＭＲＳである。代替的または追加的に、さらに別の実施形態では、セット０２｛ポートＡ、ポートＢ｝に関連する想定は、ＰＴＲＳを送信するＲＥがＤＭＲＳを送信するＲＥと同じであるが、ＰＴＲＳを送信するＲＥに異なるコームオフセット値が適用されることが含まれる。次に、ＰＴＲＳの送信電力はＤＭＲＳの送信電力より３ｄＢ高く、すなわち、ｐ＿ＰＴＲＳ＝ｐ＿ＤＭＲＳ＋３ｄＢである。
【０１０１】
一実施形態では、例えば、セット０３｛ポートＣ、ポートＤ｝に関連する想定は、データ送信用のリソースとＤＭＲＳ送信用のリソースがＦＤＭに基づいて多重化されることが含まれる。次に、ＤＭＲＳの送信電力は、データの送信電力と同じであるべきであり、すなわち、ｐ＿ＤＭＲＳ＝ｐ＿ｄａｔａである。代替的または追加的に、別の実施形態では、セット０３｛ポートＣ、ポートＤ｝に関連する想定は、ＰＴＲＳを送信するためのＲＥが、ポートＣおよび／またはポートＤに関連付けられたＲＥと同じであることが含まれてもよい。次に、ＰＴＲＳの送信電力（「ｐ＿ＰＴＲＳ」とも呼ばれる）は、ＤＭＲＳの送信電力と同じであるべきであり、すなわち、ｐ＿ＰＴＲＳ＝ｐ＿ＤＭＲＳである。代替的または追加的に、さらに別の実施形態では、セット０３｛ポートＣ、ポートＤ｝に関連する想定は、ＰＴＲＳを送信するＲＥがＤＭＲＳを送信するＲＥと同じであるが、ＰＴＲＳを送信するＲＥとは異なるコームオフセット値が適用されることが含まれる。次に、ＰＴＲＳの送信電力はＤＭＲＳの送信電力より３ｄＢ高く、すなわち、ｐ＿ＰＴＲＳ＝ｐ＿ＤＭＲＳ＋３ｄＢである。
【０１０２】
いくつかの実施形態では、２つの送信レイヤについて、複数のセットは、セット０４｛ポート（Ａ、Ｂ）、ポート（Ｃ、Ｄ）｝と、セット０５｛ポート（Ａ、Ｃ）、ポート（Ｂ、Ｄ）｝と、セット０６｛ポート（Ａ、Ｄ）、ポート（Ｂ、Ｃ）｝と、セット０７｛ポート（Ａ、Ｂ）｝と、を含むが、これらに限定されない。一実施形態では、上記複数のセットのうちの少なくとも１つは、第２の指示に含まれ、端末デバイス１２０に示される。上記複数のセットは、それぞれ、ＲＳ送信に関する異なる想定に関連付けられてもよい。
【０１０３】
一実施形態では、例えば、セット０４｛ポート（Ａ、Ｂ）、ポート（Ｃ、Ｄ）｝に関連する想定は、マルチユーザスケジューリングのみがサポートされ、ｐ＿ＤＭＲＳ＝ｐ＿ｄａｔａ＋３ｄＢであることを含んでもよい。代替的または追加的に、別の実施形態では、セット０４｛ポート（Ａ、Ｂ）、ポート（Ｃ、Ｄ）｝に関連する想定は、データ送信用のリソースとＤＭＲＳ送信用のリソースをＦＤＭに基づいて多重化できないことと、ｐ＿ＤＭＲＳ＝ｐ＿ｄａｔａ＋３ｄＢであることを含んでもよい。代替的または追加的に、別の実施形態では、セット０４｛ポート（Ａ、Ｂ）、ポート（Ｃ、Ｄ）｝に関連する想定は、２つの送信レイヤが異なる送信および受信ポイント（ＴＲＰ：Transmission and Reception Point）からのものであってはならないことを含んでもよい。代替的または追加的に、さらに別の実施形態では、セット０４｛ポート（Ａ、Ｂ）；ポート（Ｃ、Ｄ）｝に関連する想定は、ＰＴＲＳがポートＡまたはポートＣで送信され、ｐ＿ＰＴＲＳ＝ｐ＿ＤＭＲＳ＋３ｄＢであることを含んでもよい。
【０１０４】
一実施形態では、例えば、セット０５｛ポート（Ａ、Ｃ）、ポート（Ｂ、Ｄ）｝に関連する想定は、データ送信用のリソースとＤＭＲＳ送信用のリソースをＦＤＭに基づいて多重化できないことと、ｐ＿ＤＭＲＳ＝ｐ＿ｄａｔａ＋３ｄＢであることを含んでもよい。代替的または追加的に、別の実施形態では、セット０５｛ポート（Ａ、Ｃ）、ポート（Ｂ、Ｄ）｝に関連する想定は、２つの送信レイヤが異なるＴＲＰからのものであることを含んでもよい。代替的または追加的に、さらに別の実施形態では、セット０５｛ポート（Ａ、Ｃ）、ポート（Ｂ、Ｄ）｝に関連する想定は、ポートＡおよびＣはＱＣＬされ、ポートＡはＰＴＲＳの送信に使用され、ｐ＿ＰＴＲＳ＝ｐ＿ＤＭＲＳである、を含んでもよい。代替的または追加的に、さらに別の実施形態では、セット０５｛ポート（Ａ、Ｃ）、ポート（Ｂ、Ｄ）｝に関連する想定は、ポートＡおよびＣはＱＣＬされず、ポートＡおよびＣはＰＴＲＳの送信に使用され、ｐ＿ＰＴＲＳ＝ｐ＿ＤＭＲＳである、を含んでもよい。
【０１０５】
一実施形態では、例えば、セット０６｛ポート（Ａ、Ｄ）、ポート（Ｂ、Ｃ）｝に関連する想定は、データ送信用のリソースとＤＭＲＳ送信用のリソースをＦＤＭに基づいて多重化できないことと、ｐ＿ＤＭＲＳ＝ｐ＿ｄａｔａ＋３ｄＢであることを含んでもよい。代替的または追加的に、別の実施形態では、セット０６｛ポート（Ａ、Ｄ）、ポート（Ｂ、Ｃ）｝に関連する想定は、２つの送信レイヤが異なるＴＲＰからのものであることを含んでもよい。代替的または追加的に、さらに別の実施形態では、セット０６｛ポート（Ａ、Ｄ）、ポート（Ｂ、Ｃ）｝に関連する想定は、ポートＡおよびＤはＱＣＬされ、ポートＡはＰＴＲＳの送信に使用され、ｐ＿ＰＴＲＳ＝ｐ＿ＤＭＲＳである、を含んでもよい。代替的または追加的に、さらに別の実施形態では、セット０６｛ポート（Ａ、Ｄ）、ポート（Ｂ、Ｃ）｝に関連する想定は、ポートＡおよびＤはＱＣＬされず、ポートＡおよびＤはＰＴＲＳの送信に使用され、ｐ＿ＰＴＲＳ＝ｐ＿ＤＭＲＳである、を含んでもよい。
【０１０６】
一実施形態では、例えば、セット０７｛ポート（Ａ、Ｂ）｝に関連する想定は、データ送信のためのリソースおよびＤＭＲＳを送信するためのリソースがＦＤＭに基づいて多重化され、ｐ＿ＤＭＲＳ＝ｐ＿ｄａｔａであることを含んでもよい。代替的または追加的に、別の実施形態では、セット０７｛ポート（Ａ、Ｂ）｝に関連する想定は、ポートＡがＰＴＲＳを送信するために使用され、ｐ＿ＰＴＲＳ＝ｐ＿ＤＭＲＳ＋３ｄＢであることを含んでもよい。
【０１０７】
いくつかの実施形態では、３つの送信レイヤについて、複数のセットは、セット０８｛ポート（Ａ、Ｂ、Ｃ）｝およびセット０９｛ポート（Ｂ、Ｃ、Ｄ）｝を含むが、これらに限定されない。一実施形態では、上記複数のセットのうちの少なくとも１つは、第２の指示に含まれ、端末デバイス１２０に示されてもよい。上記複数のセットは、それぞれ、ＲＳ送信に関する異なる想定に関連付けられてもよい。
【０１０８】
一実施形態では、例えば、セット０８｛ポート（Ａ、Ｂ、Ｃ）｝に関連する想定は、１つのＰＴＲＳポートのみがサポートされる場合、ポートＡはＰＴＲＳ送信に使用され、また、２つのＰＴＲＳポートがサポートされる場合、ポートＡとＣがＰＴＲＳ送信に使用される、を含んでもよい。
【０１０９】
一実施形態では、例えば、セット０９｛ポート（Ｂ、Ｃ、Ｄ）｝に関連付けられた想定は、ポートＡが単一レイヤ送信用に予約されていることを含んでもよい。代替または追加として、別の実施形態では、セット０９｛ポート（Ｂ、Ｃ、Ｄ）｝に関連する想定は、ＰＴＲＳポートが１つのみサポートされる場合、ポートＣがＰＴＲＳ送信に使用され、ポートＡが単一レイヤ送信用に予約されていることを含んでもよい。代替的または追加的に、別の実施形態では、セット０９｛ポート（Ｂ、Ｃ、Ｄ）｝に関連する想定は、１つのＰＴＲＳポートのみがサポートされる場合、ポートＢはＰＴＲＳ送信に使用され、また、２つのＰＴＲＳポートがサポートされる場合、ポートＢおよびＣがＰＴＲＳ送信に使用される、を含んでもよい。
【０１１０】
いくつかの実施形態では、４つの送信レイヤについて、セット１０｛ポート（Ａ、Ｂ、Ｃ、Ｄ）は、第２の指示に含まれ、端末デバイス１２０に示されてもよい。
【０１１１】
一実施形態では、上記の複数のセット（セット００から１０など）は、１つのシンボルで送信されるＤＭＲＳに関連付けられてもよい。複数のセットのそれぞれを示すためのそれぞれのインデックスがあり、異なる指示のために、それぞれのインデックスは異なってもよい。
【０１１２】
たとえば、２つのシンボルに関連付けられたＤＭＲＳ設定１の場合、最大８つのポート（たとえば、ポートＡ、Ｂ、Ｃ、Ｄ、Ｅ、Ｆ、Ｇ、およびＨ）がサポートされる。いくつかの実施形態では、ＲＳ送信に関する異なる想定に基づいて、８個のポートを複数のセットに分割してもよい。ＲＳ送信レイヤの決定された数について、ＲＳポートの少なくとも１つのセットは、複数のセットから選択され、第２の指示に含まれてもよい。
【０１１３】
いくつかの実施形態では、１つの送信レイヤについて、複数のセットは、セット１１｛ポートＡ、ポートＢ、ポートＣ、ポートＤ、ポートＥ、ポートＦ、ポートＧ、ポートＨ｝と、セット１２｛ポートＡ、ポートＢ、ポートＥ、ポートＦ｝と、セット１３｛ポートＣ、ポートＤ、ポートＧ、ポートＨ｝など、を含んでもよいが、これらに限定されない。一実施形態では、上記複数のセットのうちの少なくとも１つは、第２の指示に含まれ、端末デバイス１２０に示されてもよい。上記複数のセットは、それぞれＲＳ送信に関する異なる想定に関連付けられてもよい。一実施形態では、セット００から０３からのＲＳポートを示すインデックス、およびセット１１から１３からのＲＳポートを示すインデックスについて、ＲＳポートまたは送信レイヤの数は同じであってもよい。代替的または追加的に、異なるインデックスに対して、ＲＳシンボルの数が異なってもよい。たとえば、セット００から０３からのＲＳポートを示すインデックスの場合、ＲＳ送信用の１つのシンボルが想定され、セット１１から１３からのＲＳポートを示すインデックスの場合、ＲＳ送信用の２つのシンボルが想定される。
【０１１４】
一実施形態では、例えば、セット１１｛ポートＡ、ポートＢ、ポートＣ、ポートＤ、ポートＥ、ポートＦ、ポートＧ、ポートＨ｝は、データ送信用のリソースとＤＭＲＳを送信するためのリソースをＦＤＭに基づいて多重化できないことと、ｐ＿ＤＭＲＳ＝ｐ＿ｄａｔａ＋３ｄＢであること、を含んでもよい。代替的または追加的に、別の実施形態では、セット１２｛ポートＡ、ポートＢ、ポートＥ、ポートＦ｝に関連する想定は、データ送信用のリソースとＤＭＲＳを送信するためのリソースをＦＤＭに基づいて多重化できることと、ｐ＿ＤＭＲＳ＝ｐ＿ｄａｔａであることを含んでもよい。代替的または追加的に、別の実施形態では、セット１３｛ポートＣ、ポートＤ、ポートＧ、ポートＨ｝に関連する想定は、データ送信用のリソースとＤＭＲＳを送信するためのリソースをＦＤＭに基づいて多重化できないことと、ｐ＿ＤＭＲＳ＝ｐ＿ｄａｔａ＋３ｄＢであることを含んでもよい。
【０１１５】
いくつかの実施形態では、２つの送信レイヤについて、複数のセットは、セット１４｛ポート（Ａ、Ｂ）、ポート（Ｃ、Ｄ）、ポート（Ｅ、Ｆ）、ポート（Ｇ、Ｈ）｝と、セット１５｛ポート（Ａ、Ｃ）、ポート（Ｂ、Ｄ）、ポート（Ｅ、Ｇ）、ポート（Ｆ、Ｈ）｝と、セット１６｛ポート（Ａ、Ｄ）、ポート（Ｂ、Ｃ）、ポート（Ｅ、Ｈ）、ポート（Ｆ、Ｇ）｝と、セット１７｛ポート（Ａ、Ｅ）、ポート（Ｂ、Ｆ）、ポート（Ｃ、Ｇ）、ポート（Ｄ、Ｈ）｝と、セット１８｛ポート（Ａ、Ｆ）、ポート（Ｂ、Ｅ）、ポート（Ｃ、Ｈ）、ポート（Ｄ、Ｇ）｝と、セット１９｛ポート（Ａ、Ｂ）、ポート（Ｅ、Ｆ）｝と、を含んでもよいが、これらに限定されない。一実施形態では、上記複数のセットのうちの少なくとも１つは、第２の指示に含まれ、端末デバイス１２０に示されてもよい。上記複数のセットは、それぞれＲＳ送信に関する異なる想定に関連付けられてもよい。
【０１１６】
一実施形態では、例えば、セット１４｛ポート（Ａ、Ｂ）、ポート（Ｃ、Ｄ）、ポート（Ｅ、Ｆ）、ポート（Ｇ、Ｈ）｝に関連する想定は、マルチユーザスケジューリングのみがサポートされ、ｐ＿ＤＭＲＳ＝ｐ＿ｄａｔａ＋３ｄＢであることを含んでもよい。代替的または追加的に、別の実施形態では、想定は、データ送信のためのリソースおよびＤＭＲＳを送信するためのリソースがＦＤＭに基づいて多重化できないことと、ｐ＿ＤＭＲＳ＝ｐ＿ｄａｔａ＋３ｄＢであることを含んでもよい。代替的または追加的に、別の実施形態では、想定は、２つの送信レイヤが異なるＴＲＰからのものでないことを含んでもよい。代替的または追加的に、さらに別の実施形態では、想定は、ｐ＿ＰＴＲＳ＝ｐ＿ＤＭＲＳ＋３ｄＢであることを含んでもよい。
【０１１７】
一実施形態では、例えば、セット１５｛ポート（Ａ、Ｃ）、ポート（Ｂ、Ｄ）、ポート（Ｅ、Ｇ）、ポート（Ｆ、Ｈ）｝に関連する想定は、データ送信用のリソースとＤＭＲＳを送信するためのリソースをＦＤＭに基づいて多重化できないことと、ｐ＿ＤＭＲＳ＝ｐ＿ｄａｔａ＋３ｄＢであることを含んでもよい。代替的または追加的に、別の実施形態では、想定は、２つの送信レイヤが異なるＴＲＰからのものであることを含んでもよい。代替的または追加的に、さらに別の実施形態では、想定は、ポートＡおよびＣはＱＣＬされ、ポートＡはＰＴＲＳの送信に使用され、ｐ＿ＰＴＲＳ＝ｐ＿ＤＭＲＳであることを含んでもよい。代替的または追加的に、さらに別の実施形態では、想定は、ポートＡおよびＣはＱＣＬされず、ポートＡおよびＣはＰＴＲＳの送信に使用され、ｐ＿ＰＴＲＳ＝ｐ＿ＤＭＲＳであることを含んでもよい。
【０１１８】
一実施形態では、例えば、セット１６｛ポート（Ａ、Ｄ）、ポート（Ｂ、Ｃ）、ポート（Ｅ、Ｈ）、Ｐｏｒｔｓ（Ｆ、Ｇ）｝に関連する想定は、データ送信用のリソースとＤＭＲＳを送信するためのリソースをＦＤＭに基づいて多重化できず、ｐ＿ＤＭＲＳ＝ｐ＿ｄａｔａ＋３ｄＢであることを含んでもよい。代替的または追加的に、別の実施形態では、想定は、２つの送信レイヤが異なるＴＲＰからのものであることを含んでもよい。代替的または追加的に、さらに別の実施形態では、想定は、ポートＡおよびＤはＱＣＬされ、ポートＡはＰＴＲＳの送信に使用され、ｐ＿ＰＴＲＳ＝ｐ＿ＤＭＲＳであることを含んでもよい。代替的または追加的に、さらに別の実施形態では、想定は、ポートＡおよびＤはＱＣＬされず、ポートＡおよびＤはＰＴＲＳの送信に使用され、ｐ＿ＰＴＲＳ＝ｐ＿ＤＭＲＳであることを含んでもよい。
【０１１９】
一実施形態では、例えば、セット１９｛ポート（Ａ、Ｂ）、ポート（Ｅ、Ｆ）｝に関連する想定は、データ送信用のリソースとＤＭＲＳを送信するためのリソースがＦＤＭに基づいて多重化され、ｐ＿ＤＭＲＳ＝ｐ＿ｄａｔａであることを含んでもよい。
【０１２０】
いくつかの実施形態では、例えば、ブロードキャストＰＤＳＣＨ、マルチキャストＰＤＳＣＨ、ページングのためのＰＤＳＣＨ、システム情報のためのＰＤＳＣＨ、残りの最小システム情報のためのＰＤＳＣＨなどのうちの少なくとも１つを含む、いくつかの種類のＰＤＳＣＨがあってもよい。ＰＤＳＣＨは、ＤＭＲＳポートで送信されてもよい。一実施形態では、ＰＤＳＣＨのＤＭＲＳについて、フロントロードＤＭＲＳの設定パターンは、ＤＭＲＳ設定１として固定されてもよい。別の実施形態では、ＰＤＳＣＨのＤＭＲＳについて、フロントロードＤＭＲＳの設定パターンは、ＤＭＲＳ設定２として固定されてもよい。この場合、ＰＤＳＣＨのＤＭＲＳ設定パターンを示す必要はなくてもよい。一実施形態では、ＰＤＳＣＨのＤＭＲＳについて、フロントロードＤＭＲＳのシンボルの数は１に固定されてもよい。別の実施形態では、ＰＤＳＣＨのＤＭＲＳについて、フロントロードＤＭＲＳのシンボルの数は２に固定されてもよい。この場合、ＰＤＳＣＨのＤＭＲＳのシンボル数を示す必要はなくてもよい。一実施形態では、ＰＤＳＣＨについては、フロントロードＤＭＲＳに加えて追加のＤＭＲＳが常に存在してもよい。
【０１２１】
いくつかの実施形態では、ＰＤＳＣＨについて、異なるパラメータに基づいて異なるＤＭＲＳ情報が決定されてもよい。たとえば、ＰＤＳＣＨのＤＭＲＳ情報は、たとえば、ＰＢＣＨで、残りの最小システム情報で、システム情報ブロックで、または、ＲＲＣレイヤやＭＡＣレイヤなどのシグナリングなどの上位レイヤシグナリングを介して、示されてもよい。いくつかの実施形態では、ＤＭＲＳ情報は、ポートインデックスと、巡回シフト値と、コームオフセット値と、周波数領域におけるＤＭＲＳのＲＥの周波数ロケーションと、ＴＤ−ＯＣＣ値と、ＦＤ−ОＣＣ値などのうちの少なくとも１つを含んでもよい。いくつかの実施形態では、ＤＭＲＳ情報を決定するためのパラメータは、セルＩＤと、ＴＲＰ  ＩＤと、フレームインデックスと、サブフレームインデックスと、スロットインデックスと、シンボルインデックスと、または、他の何らかの指示のうちの少なくとも１つを含んでもよい。一実施形態では、ＰＤＳＣＨに関するＤＭＲＳ情報は、所与のセルまたはＴＲＰに対して固定されてもよく、ＰＤＳＣＨに関するＤＭＲＳ情報は、異なるセルまたはＴＲＰに対して異なってもよい。たとえば、異なるセルの場合、ＰＤＳＣＨのＤＭＲＳは、周波数領域において異なるＲＥにマッピングされてもよい。
【０１２２】
一実施形態では、ＤＭＲＳ情報を決定するためのパラメータの値は、Ｋ個のサブセット（サブセット０、サブセット１、…およびサブセットＫ−１）に分割されてもよく、ただし、Ｋは整数であり、Ｋ≧１であり、例えば、Ｋ＝２または３である。サブセットが異なる場合、ＤＭＲＳ情報は異なってもよい。
【０１２３】
一実施形態では、例えば、サブセット０について、セルＩＤが偶数である場合、ＤＭＲＳ情報は、ＤＭＲＳポートの巡回シフト値はｃ０であることと、ＤＭＲＳポートのコームオフセット値はｂ０であることと、ＤＭＲＳポートのＴＤ−ＯＣＣ値は｛１、１｝であることと、ＤＭＲＳポートのＦＤ−ＯＣＣ値は｛１、１｝であることと、ＤＭＲＳポートの周波数領域でのＲＥロケーションはａ０であることと、のうちの少なくとも１つを含んでもよい。例えば、図５Ａまたは図５Ｂに示されるように、｛ポートＡ、ポートＣ、ポートＥ、ポートＧ｝から選択された１つのＲＳポートは、ＤＭＲＳ情報によって示されてもよい。別の例では、図７Ａまたは図７Ｂに示すように、｛ポートＡ、ポートＢ、ポートＧ、ポートＨ｝から選択された１つのＲＳポートがＤＭＲＳ情報により示されてもよい。別の実施形態では、例えば、サブセット１について、セルＩＤが奇数である場合、ＤＭＲＳ情報は、ＤＭＲＳポートの巡回シフト値はｃ１であることと、ＤＭＲＳポートのコームオフセット値はｂ１であることと、ＤＭＲＳポートのＴＤ−ＯＣＣ値は｛１、−１｝であることと、ＤＭＲＳポートのＦＤ−ＯＣＣ値は｛１、−１｝であることと、ＤＭＲＳポートの周波数領域でのＲＥロケーションはａ１であることと、のうちの少なくとも１つを含んでもよい。例えば、図５Ａまたは図５Ｂに示されるように、｛ポートＢ、ポートＤ、ポートＦ、ポートＨ｝から選択された１つのＲＳポートは、ＤＭＲＳ情報により示されてもよい。別の例では、図７Ａまたは図７Ｂに示されるように、｛ポートＣ、ポートＤ、ポートＩ、ポートＪ｝から選択された１つのＲＳポートは、ＤＭＲＳ情報により示されてもよい。
【０１２４】
一実施形態では、例えば、サブセット０について、プライマリ同期信号（ＰＳＳ：Primary Synchronization Signal）によるセルＩＤキャリアＮＩＤ２＝０、または、セルＩＤ  ＮＩＤｃｅｌｌ  ｍｏｄ  ３が、０に等しい場合（すなわち、ＮＩＤｃｅｌｌ  ｍｏｄ  ３＝０）、ＤＭＲＳポートの周波数領域でのＲＥロケーションは、ａ０である。例えば、図７Ａまたは図７Ｂに示されるように、｛ポートＡ、ポートＢ、ポートＧ、ポートＨ｝から選択された１つのＲＳポートは、ＤＭＲＳ情報により示されてもよい。別の実施形態では、例えば、サブセット１について、ＰＳＳ  ＮＩＤ２＝１によるセルＩＤキャリアまたはセルＩＤ  ｍｏｄ  ３が、１に等しい場合（すなわち、ＮＩＤｃｅｌｌ  ｍｏｄ  ３＝１）、単一のＤＭＲＳポートの周波数領域のＲＥロケーションは、ａ１である。例えば、図７Ａまたは図７Ｂに示されるように、｛ポートＣ、ポートＤ、ポートＩ、ポートＪ｝から選択された１つのＲＳポートは、ＤＭＲＳ情報により示されてもよい。さらに別の実施形態では、例えば、サブセット２について、ＰＳＳによるセルＩＤキャリアＮＩＤ２＝２、または、セルＩＤ  ｍｏｄ  ３が、２に等しい場合（すなわち、ＮＩＤｃｅｌｌ  ｍｏｄ  ３＝２）、周波数領域におけるＤＭＲＳポートのＲＥロケーションは、ａ２である。例えば、図７Ａまたは図７Ｂに示されるように、｛ポートＥ、ポートＦ、ポートＫ、ポートＬ｝から選択された１つのＲＳポートは、ＤＭＲＳ情報により示されてもよい。
【０１２５】
いくつかの実施形態では、１つのセルについて、図５Ａ、図５Ｂ、図７Ａまたは図７Ｂに示されるように、ＰＤＳＣＨのＤＭＲＳポートは、ポートＡであってもよい。一方、別のセルについて、ＰＤＳＣＨのＤＭＲＳポートは、図５Ａまたは図５Ｂに示すポートＢ、または、図７Ａまたは図７Ｂに示すポートＣであってもよい。いくつかの実施形態では、１つのセルについて、ＰＤＳＣＨのＤＭＲＳポートは、図７Ａまたは図７Ｂに示されるように、ポートＡであってもよい。別のセルについて、図７Ａまたは図７Ｂに示すように、ＰＤＳＣＨのＤＭＲＳポートは、ポートＣであってもよい。さらに別のセルについて、図７Ａまたは図７Ｂに示すように、ＰＤＳＣＨのＤＭＲＳポートは、ポートＥであってもよい。
【０１２６】
いくつかの実施形態では、ＰＤＳＣＨについて、ＤＭＲＳおよびデータは、周波数領域で多重化されなくてもよい、またはＤＭＲＳとデータのＦＤＭに基づいた多重化はサポートされなくてもよい。いくつかの実施形態では、ＰＤＳＣＨについて、ＤＭＲＳシンボル内の未使用のＲＥは、未使用のままにされてもよい。たとえば、未使用のＲＥの電力は、ＤＭＲＳによって占有されているＲＥに割り当てられる。いくつかの実施形態では、ＰＤＳＣＨについて、ＤＭＲＳとデータとの間の電力オフセットは固定されてもよく、例えば、ｐ＿ＤＭＲＳ＝ｐ＿ｄａｔａ＋３ｄＢである。
【０１２７】
いくつかの実施形態では、ＰＤＳＣＨについて、ＤＭＲＳとデータは周波数領域で多重化されてもよく、またはＦＤＭに基づいたＤＭＲＳとデータの多重化がサポートされてもよい。いくつかの実施形態では、ＰＤＳＣＨについて、ＤＭＲＳシンボル内の未使用のＲＥは、ＰＤＳＣＨ送信に使用されてもよい。いくつかの実施形態では、ＰＤＳＣＨについて、ＤＭＲＳとデータとの間の電力オフセットは固定されてもよく、例えば、ｐ＿ＤＭＲＳ＝ｐ＿ｄａｔａである。
【０１２８】
上記の例は、本開示に対するいかなる制限も示唆することなく、例示の目的のみのためであることを理解されたい。本開示は、上記で例示された上記の例に必ずしも限定されない。むしろ、本開示の教示を考慮して、より多くの特徴および／または例が当業者によって考えられ得る。
【０１２９】
さらに、いくつかの場合、フロントロードＤＭＲＳ以外の追加のＤＭＲＳを設定できる。この場合、いくつかの実施形態では、ＤＭＲＳ設定１の１つのシンボルに最大４つのＲＳポート、および／またはＤＭＲＳ設定２の１つのシンボルに最大６つのＲＳポートが存在してもよい。この場合、いくつかの実施形態では、マルチユーザスケジューリングがサポートされてもよい。代替的または追加的に、この場合、いくつかの実施形態では、ＤＭＲＳを送信するためのリソースおよびデータを送信するためのリソースは、ＦＤＭに基づいて多重化されなくてもよい。代替的または追加的に、ＤＭＲＳの送信電力は、上げることができる。いくつかの実施形態では、この場合、送信されているＰＴＲＳがない場合がある。いくつかの実施形態では、フロントロードＤＭＲＳ以外の追加のＤＭＲＳが設定される場合、ＤＣＩのいくつかのインデックスを使用しない、または、ＤＣＩのインデックスの数を減らす、または、ＤＣＩのビット数を減らすことができる。
【０１３０】
一実施形態では、１つのＰＤＳＣＨについて、送信レイヤのすべてが別個のＴＲＰまたはセルからのものである場合、ＰＤＳＣＨのＤＭＲＳポートのいずれにもＰＴＲＳが関連付けられていないと想定することができる。
【０１３１】
いくつかの実施形態では、ＤＭＲＳ設定パターンの設定は、サブバンドごと、帯域幅部分ごと、および／またはキャリアコンポーネントごとに行われてもよい。
【０１３２】
図８は、本開示のいくつかの実施形態による装置８００のブロック図を示す。装置８００は、図１に示すネットワークデバイス１１０の例示的な実装と見なすことができる。示されるように、装置８００は、異なるＲＳ設定パターン、異なるポート多重化タイプ、およびＲＳ送信に使用される異なる数のシンボルのうち少なくとも１つに基づいたＲＳ送信に使用される、複数の参照信号（ＲＳ：Reference Signal）ポートを決定するように構成される第１決定モジュール８１０を含み、複数のＲＳポートのそれぞれは、それぞれのポートインデックスにインデックスされ、複数のＲＳポートのうちの少なくとも２つは、同じポートインデックスを共有する。装置８００は、少なくとも複数のＲＳポートに基づいて複数のＲＳ設定を決定するように構成された第２決定モジュール８２０も含む。加えて、装置８００は、ネットワークデバイスによってサービスされる端末デバイスの複数のＲＳ設定から少なくとも１つのＲＳ設定を割り当てるように構成された割り当てモジュール８３０も含み、少なくとも１つのＲＳ設定は、ＲＳ送信に使用される少なくとも１つのＲＳポートを示す。
【０１３３】
いくつかの実施形態では、複数のＲＳポートは、同じＲＳ設定パターンに関連付けられた第１のＲＳポートおよび第２のＲＳポートを含み、複数のＲＳポートを決定することは、同じＲＳ設定パターンに基づいて第１および第２のＲＳポートを決定することを含み、第１のＲＳポートはＲＳ送信に使用される第１のシンボルの数に関連付けられ、第２のＲＳポートはＲＳ送信に使用される第２のシンボルの数に関連付けられ、第１および第２のＲＳポートは、同じポートインデックスを共有する。
【０１３４】
いくつかの実施形態では、第１のＲＳポートは第１のポート多重化タイプを示す第１の情報に関連付けられ、第２のＲＳポートは第２のポート多重化タイプを示す第２の情報に関連付けられ、第１の情報は少なくとも部分的に第２の情報と同じである。
【０１３５】
いくつかの実施形態では、第１および第２の情報のそれぞれは、周波数領域におけるリソース割り当てを示すそれぞれの値と、それぞれの直交カバーコード（ＯＣＣ：Orthogonal Covering Code）と、それぞれの巡回シフト（ＣＳ：Cycle Shift）値と、それぞれのコームオフセット値と、のうちの少なくとも１つを含む。
【０１３６】
いくつかの実施形態では、複数のＲＳポートはＣＳ値に関連付けられた第３のＲＳポートを含み、複数のＲＳ設定を決定することは、少なくともＣＳ値に基づいて、第３のＲＳポートで送信されるＲＳシーケンスを決定することと、第３のＲＳポートとＲＳシーケンスとに基づいて、複数のＲＳ設定のうちの少なくとも１つを決定することと、を備える。
【０１３７】
いくつかの実施形態では、複数のＲＳ設定を決定することは、複数のＲＳポートを複数のセットに分割することを含み、複数のセットのそれぞれは、ＲＳ送信に関する少なくとも１つの想定に関連付けられ、複数のセットに基づいて複数のＲＳ設定を決定することを含む。
【０１３８】
いくつかの実施形態では、少なくとも１つの想定は、ユーザスケジューリングに関する情報と、ＲＳ送信に関連する電力オフセットと、ＲＳ送信レイヤに関する情報と、ＱＣＬに関する情報と、異なるタイプのＲＳ間の関係と、のうちの少なくとも１つに向けられる。
【０１３９】
いくつかの実施形態では、少なくとも１つのＲＳ設定を割り当てることは、複数のＲＳ設定から、端末デバイスの少なくとも１つのＲＳ設定を選択することを含み、少なくとも１つのＲＳ設定は、複数のＲＳ設定からの少なくとも１つのＲＳポートセットを示し、少なくとも１つのＲＳ設定を端末デバイスに示すことを含む。
【０１４０】
いくつかの実施形態では、少なくとも１つのＲＳポートのセットは、ＲＳ設定パターンに関連付けられ、少なくとも１つのＲＳ設定を示すことは、ＲＳ設定パターンに関する第３の情報を、上位レイヤシグナリングを介して端末デバイスに送信することと、少なくとも１つのＲＳポートのセットに関する第４の情報を、上位レイヤシグナリングおよび／または動的シグナリングを介して端末デバイスに送信することと、を含む。
【０１４１】
いくつかの実施形態では、ＲＳポートの少なくとも１つのセットは、少なくとも１つのインデックス値でインデックス付けされ、第４の情報は少なくとも１つのインデックス値を含む。
【０１４２】
いくつかの実施形態では、ＲＳはＤＭＲＳである。
【０１４３】
明確にするために、図８は、装置８００のいくつかのオプションのモジュールを示していない。しかしながら、図１から図７Ｂを参照して説明したような様々な特徴は、装置８００にも同様に適用可能であることを理解されるべきである。さらに、装置８００のそれぞれのモジュールは、ハードウェアモジュールまたはソフトウェアモジュールであってもよい。例えば、いくつかの実施形態では、装置８００は、ソフトウェアおよび／またはファームウェアによって部分的または完全に実装されてもよく、例えば、コンピュータ可読媒体で実施されるコンピュータプログラム製品として実装されてもよい。あるいは、またはさらに、装置８００は、ハードウェアに基づいて部分的または完全に実装されてもよく、例えば、集積回路（ＩＣ：Integrated Circuit）、特定用途向け集積回路（ＡＳＩＣ：Application-Specific Integrated Circuit）、システムオンチップ（ＳＯＣ：System On Chip）、フィールドプログラマブルゲートアレイ（ＦＰＧＡ：Field Programmable Gate Array）などとして実装されてもよい。本開示の範囲は、この態様に限定されない。
【０１４４】
図９は、本開示の実施形態を実施するのに適したデバイス９００の簡略化されたブロック図である。デバイス９００は、図１に示されるように、ネットワークデバイス１１０のさらなる例示的な実装とみなすことができる。したがって、デバイス９００は、ネットワークデバイス１１０で、または少なくとも一部として実装することができる。
【０１４５】
示されるように、デバイス９００は、プロセッサ９１０、プロセッサ９１０に結合されたメモリ９２０、プロセッサ９１０に結合された適切な送信機（ＴＸ：Transmitter）および受信機（ＲＸ：Receiver）９４０、およびＴＸ／ＲＸ９４０に結合された通信インターフェイスを含む。メモリ９１０は、プログラム９３０の少なくとも一部を格納する。ＴＸ／ＲＸ９４０は、双方向通信用である。ＴＸ／ＲＸ９４０は、通信を容易にするために少なくとも１つのアンテナを有するが、実際にはこのアプリケーションで言及されているアクセスノードには複数のアンテナがある。通信インターフェイスは、ｅＮＢ間の双方向通信用のＸ２インターフェイス、移動管理エンティティ（ＭＭＥ：Mobility Management Entity）／サービングゲートウェイ（Ｓ−ＧＷ：Serving Gateway）とｅＮＢ間の通信用のＳ１インターフェイス、ｅＮＢとリレーノード（ＲＮ：Relay Node）間の通信用のＵｎインターフェイス、または、ｅＮＢと端末デバイス間の通信用のＵｕインターフェイスなど、他のネットワーク要素との通信に必要なインターフェイスを示す。
【０１４６】
プログラム９３０は、関連するプロセッサ９１０によって実行されると、図１から図８を参照して本明細書で説明するように、デバイス９００が本開示の実施形態に従って動作することを可能にするプログラム命令を含むと想定される。本明細書の実施形態は、デバイス９００のプロセッサ９１０によって実行可能なコンピュータソフトウェアによって、またはハードウェアによって、またはソフトウェアとハードウェアの組み合わせによって実装される。プロセッサ９１０は、本開示の様々な実施形態を実装するように構成される。さらに、プロセッサ９１０とメモリ９１０の組み合わせは、本開示の様々な実施形態を実装するように適合された処理手段９５０を形成する。
【０１４７】
メモリ９１０は、ローカル技術ネットワークに適した任意のタイプのものであってもよく、非限定的な例として、非一時的なコンピュータ可読記憶媒体、半導体ベースのメモリデバイス、磁気メモリデバイスおよびシステム、光学メモリデバイスおよびシステム、固定メモリおよびリムーバブルメモリなどの任意の適切なデータストレージ技術を使用して実装されてもよい。デバイス９００には１つのメモリ９１０のみが示されているが、デバイス９００にはいくつかの物理的に異なるメモリモジュールが存在してもよい。プロセッサ９１０は、ローカル技術ネットワークに適した任意のタイプのものであってよく、汎用コンピュータ、専用コンピュータ、マイクロプロセッサ、デジタル信号プロセッサ（ＤＳＰ：Digital Signal Processor）、および非限定的な例としてマルチコアプロセッサアーキテクチャに基づくプロセッサの１つ以上を含んでよい。デバイス９００は、メインプロセッサを同期させるクロックに時間的に従属する特定用途向け集積回路チップなどの複数のプロセッサを有してもよい。
【０１４８】
一般に、本開示の様々な実施形態は、ハードウェアまたは専用回路、ソフトウェア、ロジックまたはそれらの任意の組み合わせで実装され得る。 いくつかの態様はハードウェアで実装されてもよく、一方、他の態様はコントローラ、マイクロプロセッサまたは他のコンピューティングデバイスによって実行され得るファームウェアまたはソフトウェアで実装されてもよい。本開示の実施形態の様々な態様は、ブロック図、フローチャート、または他の何らかの画像表現を使用して図示および説明されるが、本明細書で説明されるブロック、装置、システム、技法または方法は、非限定的な例として、ハードウェア、ソフトウェア、ファームウェア、専用回路またはロジック、汎用ハードウェアまたはコントローラ、または、その他のコンピューティングデバイス、またはそれらの組み合わせで実装されてもよい。
【０１４９】
本開示はまた、非一時的なコンピュータ可読記憶媒体に有形に記憶された少なくとも１つのコンピュータプログラム製品を提供する。コンピュータプログラム製品は、プログラムモジュールに含まれる命令などのコンピュータ実行可能命令を含み、対象の実プロセッサまたは仮想プロセッサ上のデバイスで実行され、図１から図７Ｂのいずれかを参照して上述したプロセスまたは方法を実行する。一般に、プログラムモジュールには、特定のタスクを実行したり、特定の抽象データ型を実装したりするルーチン、プログラム、ライブラリ、オブジェクト、クラス、コンポーネント、データ構造などが含まれる。プログラムモジュールの機能は、様々な実施形態で望まれるようにプログラムモジュール間で結合または分割されてもよい。プログラムモジュールのマシン実行可能命令は、ローカルまたは分散デバイス内で実行できる。分散デバイスでは、プログラムモジュールはローカルとリモートの両方のストレージメディアに配置できる。
【０１５０】
本開示の方法を実行するためのプログラムコードは、１つ以上のプログラミング言語の任意の組み合わせで書かれてもよい。これらのプログラムコードは、汎用コンピュータ、専用コンピュータ、またはその他のプログラム可能なデータ処理装置のプロセッサまたはコントローラに提供され、プログラムコードがプロセッサまたはコントローラによって実行されると、フローチャートおよび／または実装するブロック図内の機能／動作が実行される。プログラムコードは、完全にマシン上で実行され、一部はマシン上で、スタンドアロンソフトウェアパッケージとして、一部はマシン上で、一部はリモートマシン上で、または完全にリモートマシンまたはサーバ上で実行される。
【０１５１】
上記のプログラムコードは、命令実行システム、装置、またはデバイスによって、またはそれらに関連して使用するプログラムを含むか、または格納することができる任意の有形媒体であり得る機械可読媒体で具現化され得る。機械可読媒体は、機械可読信号媒体または機械可読記憶媒体であり得る。機械可読媒体は、電子、磁気、光学、電磁気、赤外線、または半導体のシステム、装置、またはデバイス、または前述のものの任意の適切な組み合わせを含み得るが、これらに限定されない。機械可読記憶媒体のより具体的な例には、１つまたは複数のワイヤ、ポータブルコンピュータディスケット、ハードディスク、ランダムアクセスメモリ（ＲＡＭ：Random Access Memory）、読み取り専用メモリ（ＲＯＭ：Read Only Memory）、消去可能なプログラム可能読み取り専用メモリ（ＥＰＲＯＭまたはフラッシュメモリ）、光ファイバ、ポータブルコンパクトディスク読み取り専用メモリ（ＣＤ−ＲＯＭ：Compact Disc Read Only Memory）、光学式記憶装置、磁気記憶装置、または上記の適切な組み合わせを有する電気接続が含まれる。
【０１５２】
さらに、操作は特定の順序で描かれているが、これは、望ましい結果を達成するために、そのような操作が示された特定の順序または連続した順序で実行されること、または示されたすべての操作が実行されることを要求するものとして理解されるべきではない。特定の状況では、マルチタスクと並列処理が有利な場合がある。同様に、いくつかの特定の実装の詳細が上記の議論に含まれているが、これらは本開示の範囲に対する制限としてではなく、特定の実施形態に特有の特徴の説明として解釈されるべきである。別個の実施形態の文脈で説明される特定の特徴は、単一の実施形態に組み合わせて実装されてもよい。逆に、単一の実施形態の文脈で説明される様々な特徴は、複数の実施形態で別々にまたは任意の適切なサブコンビネーションで実装されてもよい。
【０１５３】
本開示は、構造的特徴および／または方法論的行為に特有の言語で説明されたが、添付の特許請求の範囲で定義される本開示は、必ずしも上記の特定の特徴または行為に限定されないことを理解されたい。むしろ、上記の特定の特徴および行為は、特許請求の範囲を実施する例示的な形態として開示されている。
【図１】
2020529169.tif 000007
【図２】
2020529169.tif 000008
【図３】
2020529169.tif 000009
【図４Ａ】
2020529169.tif 000010
【図４Ｂ】
2020529169.tif 000011
【図５Ａ】
2020529169.tif 000012
【図５Ｂ】
2020529169.tif 000013
【図５Ｃ】
2020529169.tif 000014
【図６Ａ】
2020529169.tif 000015
【図６Ｂ】
2020529169.tif 000016
【図７Ａ】
2020529169.tif 000017
【図７Ｂ】
2020529169.tif 000018
【図８】
2020529169.tif 000019
【図９】
2020529169.tif 000020
【手続補正書】
【提出日】令和2年3月23日(2020.3.23)
【手続補正１】
【補正対象書類名】特許請求の範囲
【補正対象項目名】全文
【補正方法】変更
【補正の内容】
【特許請求の範囲】
【請求項１】
隣接する２シンボルにおける、復調参照信号（ＤＭＲＳ：Demodulation Reference Signal）ポートのＤＭＲＳシーケンスを生成し、
前記ＤＭＲＳシーケンスを、ネットワークデバイスに、前記ＤＭＲＳポートにて送信し、
前記隣接する２シンボルにおける、前記ＤＭＲＳポートの前記ＤＭＲＳシーケンスが同一である、
端末デバイス。
【請求項２】
前記隣接する２シンボルにおける、前記ＤＭＲＳポートの前記ＤＭＲＳシーケンスの複素数の値が同一である、
請求項１に記載の端末デバイス。
【請求項３】
前記ＤＭＲＳシーケンスは、巡回シフトに係るパラメータに基づいて生成される、
請求項１または２に記載の端末デバイス。
【請求項４】
隣接する２シンボルにおける、復調参照信号（ＤＭＲＳ：Demodulation Reference Signal）ポートのＤＭＲＳシーケンスを、端末デバイスから、前記ＤＭＲＳポートにて受信し、
前記ＤＭＲＳシーケンスを復調し、
前記隣接する２シンボルにおける、前記ＤＭＲＳポートの前記ＤＭＲＳシーケンスが同一である、
ネットワークデバイス。
【請求項５】
前記隣接する２シンボルにおける、前記ＤＭＲＳポートの前記ＤＭＲＳシーケンスの複素数の値が同一である、
請求項４に記載のネットワークデバイス。
【請求項６】
前記ＤＭＲＳシーケンスは、巡回シフトに係るパラメータに基づいて生成される、
請求項４または５に記載のネットワークデバイス。
【請求項７】
隣接する２シンボルにおける、復調参照信号（ＤＭＲＳ：Demodulation Reference Signal）ポートのＤＭＲＳシーケンスを生成し、
前記ＤＭＲＳシーケンスを、ネットワークデバイスに、前記ＤＭＲＳポートにて送信し、
前記隣接する２シンボルにおける、前記ＤＭＲＳポートの前記ＤＭＲＳシーケンスが同一である、
方法。
【請求項８】
隣接する２シンボルにおける、復調参照信号（ＤＭＲＳ：Demodulation Reference Signal）ポートのＤＭＲＳシーケンスを、端末デバイスから、前記ＤＭＲＳポートにて受信し、
前記ＤＭＲＳシーケンスを復調し、
前記隣接する２シンボルにおける、前記ＤＭＲＳポートの前記ＤＭＲＳシーケンスが同一である、
方法。
【請求項９】
前記隣接する２シンボルにおける、前記ＤＭＲＳポートの前記ＤＭＲＳシーケンスの複素数の値が同一である、
請求項７または８に記載の方法。
【請求項１０】
前記ＤＭＲＳシーケンスは、巡回シフトに係るパラメータに基づいて生成される、
請求項７から９のいずれか１つに記載の方法。
【国際調査報告】
2020529169.tif 000021
2020529169.tif 000022